(57)【特許請求の範囲】
【請求項１】
内部にディスク状記録媒体が収容されたカートリッジが挿入または排出される開口と、
該開口を通過した前記カートリッジが挿入されるホルダと、
該ホルダ内に移動可能に設けられ、前記カートリッジを挿入方向またはイジェクト方向に搬送するキャリアユニットと、
該キャリアユニットに設けられ、前記ホルダに挿入された前記カートリッジに連結され、イジェクト動作過程で前記カートリッジとの連結が解除される連結部材と、
を備えてなるディスク装置において、
前記ホルダに挿入された前記カートリッジを前記開口へ排出するイジェクト動作過程で前記カートリッジの被係合部に係合する係合部材を前記ホルダに設け、
前記係合部材は、前記カートリッジが前記ホルダに挿入される前の状態のときに前記ホルダの側方に退避し、前記カートリッジが前記開口に排出されるときに前記カートリッジの被係合部に係合する位置に変位することを特徴とするディスク装置。
【請求項２】
前記キャリアユニットは、前記カートリッジを搬送するキャリアを有し、
前記キャリアは、前記カートリッジが挿入される前の待機状態の停止位置と前記カートリッジを排出するイジェクト状態の停止位置とが設定されており、
前記係合部材は、前記キャリアが待機状態の停止位置に位置するとき前記ホルダの側方に退避し、前記キャリアが前記カートリッジを前記開口に排出したイジェクト状態の停止位置に移動したとき前記カートリッジの被係合部に係合することを特徴とする請求項１記載のディスク装置。
【発明の詳細な説明】
【０００１】
【発明の属する技術分野】
本発明はディスク装置に係り、特にディスク状記録媒体が収容されたカートリッジが挿入・イジェクトされるよう構成されたディスク装置に関する。
【０００２】
【従来の技術】
記録媒体が装着されて記録再生を行うディスク装置は、挿入される記録媒体の形態によって構成が異なっており、ディスク状記録媒体（以下「ディスク」という）を直接挿入するスロットイン方式と、ディスクが収容されたカートリッジを挿入するカートリッジ挿入方式の２種類に分類される。
【０００３】
スロットイン方式の場合、前面ベゼルに設けられたスリット状の挿入口にディスクを挿入すると、内部に設けられた一対のローラがディスクの上下面に当接した状態で回転駆動される。そのため、ディスクは、挿入口に手動で挿入されると、一対のローラが回転して装置内部の所定装着位置に引き込まれる。
【０００４】
また、カートリッジ挿入方式の場合、前面ベゼルに設けられた挿入口にカートリッジを挿入すると、ホルダ内を移動するキャリアユニット（搬送機構）に設けられた鉤型のロックレバー（連結部材）がカートリッジの側面凹部に係合してカートリッジをキャリアユニットに連結する構成となっている。そのため、カートリッジは、挿入口に手動で挿入されると、キャリアユニットが駆動されて装置内部の所定装着位置に搬送され、イジェクト操作されると、キャリアユニットがイジェクト方向に駆動されてカートリッジが挿入口へイジェクトされる。
【０００５】
【発明が解決しようとする課題】
しかしながら、従来のディスク装置においては、カートリッジがホルダからイジェクトされると、キャリアユニットに設けられた鉤型のロックレバーがカートリッジの側面凹部から離間する方向に動作するため、挿入口に排出された時点でロック解除されたカートリッジがイジェクト動作の慣性により挿入口から落下してしまうおそれがあった。
【０００６】
また、カートリッジに設けられたシャッタがバネ力により閉じ方向に付勢されており、カートリッジを装着位置に搬送する過程でキャリアユニットに設けられたシャッタアームがシャッタを開方向に押圧動作するように構成されている。そのため、ホルダに挿入されたカートリッジには、シャッタを閉じるためのバネの反力が作用しており、上記ロックレバーがカートリッジの側面凹部から離間してロック解除すると、キャリアユニットのホルダ内のカートリッジをホルダ左右側面とのクリアランス分だけ回動させることがある。
【０００７】
このように、イジェクト動作過程でカートリッジがホルダ内で回動すると、カートリッジが挿入されたことを検出するための検出スイッチからカートリッジの端面が離間して検出スイッチをオフにしてしまう。
【０００８】
その場合、制御回路では、カートリッジがホルダに挿入されているのに、カートリッジが無いものと判断してしまい、キャリアユニットをイジェクト方向へ移動させようと、モータを駆動させると、キャリアユニットがカートリッジの端面に当接して検出スイッチがオンに切り替わり、再びカートリッジがシャッタバネの反力で回動すると検出スイッチがオフに切り替わり、モータのオン・オフが繰り返されてキャリアユニットを断続的に動作させてしまうおそれがある。
そこで、本発明は上記課題を解決したディスク装置を提供することを目的とする。
【０００９】
【課題を解決するための手段】
上記課題を解決するため、本発明は以下のような特徴を有する。
上記請求項１記載の発明は、内部にディスク状記録媒体が収容されたカートリッジが挿入または排出される開口と、
該開口を通過した前記カートリッジが挿入されるホルダと、
該ホルダ内に移動可能に設けられ、前記カートリッジを挿入方向またはイジェクト方向に搬送するキャリアユニットと、
該キャリアユニットに設けられ、前記ホルダに挿入された前記カートリッジに連結され、イジェクト動作過程で前記カートリッジとの連結が解除される連結部材と、
を備えてなるディスク装置において、
前記ホルダに挿入された前記カートリッジを前記開口へ排出するイジェクト動作過程で前記カートリッジの被係合部に係合する係合部材を前記ホルダに設け、
前記係合部材は、前記カートリッジが前記ホルダに挿入される前の状態のときに前記ホルダの側方に退避し、前記カートリッジが前記開口に排出されるときに前記カートリッジの被係合部に係合する位置に変位することを特徴とする。
【００１０】
また、請求項２記載の発明は、前記キャリアユニットは、前記カートリッジを搬送するキャリアを有し、
前記キャリアは、前記カートリッジが挿入される前の待機状態の停止位置と前記カートリッジを排出するイジェクト状態の停止位置とが設定されており、
前記係合部材は、前記キャリアが待機状態の停止位置に位置するとき前記ホルダの側方に退避し、前記キャリアが前記カートリッジを前記開口に排出したイジェクト状態の停止位置に移動したとき前記カートリッジの被係合部に係合することを特徴とする。
【００１１】
【発明の実施の形態】
次に、本発明の実施の形態を図面と共に説明する。
【００１２】
図１乃至図４は、本発明の一実施例であるディスク装置１０を示している。図１はディスク装置１０の分解斜視図であり、図２はディスク装置１０の平面図であり、図３はディスク装置１０の正面図であり、更に図４はディスク装置１０の側面図である。
【００１３】
本実施例に係るディスク装置１０は、８センチメートルの直径を有したＣＤ，ＣＤ−Ｒ，ＣＤ−ＲＷ，ＣＤ−ＲＯＭ，ＤＶＤ−ＲＯＭ，ＤＶＤ−ＲＡＭ等（以下、８ｃｍディスク１１（図１２乃至図１４参照）という）、１２センチメートルの直径を有したＣＤ，ＣＤ−Ｒ，ＣＤ−ＲＷ，ＣＤ−ＲＯＭ，ＤＶＤ−ＲＯＭ，ＤＶＤ−ＲＡＭ等（以下、これらのディスクを総称して１２ｃｍディスク１２（図１５乃至図１７参照）という）、ＤＶＤ−ＲＡＭ１４（ＤＶＤ）が装着されたディスクカートリッジ１３（図１８，１９参照）を装着し再生及び／または記録処理が行える、いわゆるコンパチブルなディスク装置である。
【００１４】
また、ディスク装置１０は、ディスク１１，１２及びディスクカートリッジ１３が同一の挿入口（開口）１３３（図４参照）から挿入されるスロットイン・コンパチブル方式の装着装置が搭載されている。
【００１５】
尚、８ｃｍディスク１１及び１２ｃｍディスク１２は、請求項に記載のディスク状記録媒体に相当するものであり、ディスクカートリッジに収容されることなくディスクそのままの状態でディスク装置１０に装着される。これに対し、ＤＶＤ−ＲＡＭ１４（ＤＶＤ）が内部に収容されたディスクカートリッジ１３は、請求項に記載のカートリッジに相当するものである。
【００１６】
ディスク装置１０は、大略するとベース２０，ホルダ４０，キャリアユニット７０，及びベースカバー１２０等により構成されている。
ベース２０は、ベース本体２１にターンテーブル２４，ピックアップ２６，第１のディスクレバー駆動カム２８，及び第２のディスクレバー駆動カム２９等を配設した構成とされている。また、ベース２０の左右側面の前端側には、ホルダ４０の前端側の左右側面に当接してホルダ４０の前端を保持するための保持部２０ａが起立しており、ベース２０の左右側面の後端側には、ホルダ４０の後端側の左右側面に当接してホルダ４０の後端を保持すると共に、ホルダ４０の後端側の左右側面に突出する軸５７を軸承する軸受部２０ｂが起立している。
ベース本体２１は平板状の基板であり、第１の開口部２２及び第２の開口部２３が形成されている。第１の開口部２２には、これを横架するよう図中矢印Ｙ１，Ｙ２方向に平行に延在する２本のガイドシャフト２７が配設されており、この各ガイドシャフト２７は所定の距離だけ離間配置されている。
【００１７】
ピックアップ２６は、両側が各ガイドシャフト２７にガイドされ、ピックアップ駆動機構（図示せず）により図中矢印Ｙ１，Ｙ２方向（各ディスク１１，１２，１４の半径方向）に移動可能な構成とされている。このピックアップ２６は、再生及び／または記録処理が行なわれる位置（以下、この位置を再生／記録位置という）に搬送された装着状態の各ディスク１１，１２，１４に対してレーザ光を照射し、またその反射光を受光する構成とされている。これにより、ピックアップ２６は各ディスク１１，１２，１４に対して再生及び／または記録処理を行なう構成とされている。
【００１８】
ターンテーブル２４は、ベース本体２１に配設されたディスクモータ２５により所定回転数で回転する構成とされている。このターンテーブル２４は、各ディスク１１，１２，１４が再生／記録位置に搬送された際、後述するようにホルダ４０が移動することにより各ディスク１１，１２，１４のセンターホール１１ａ，１２ａ，１４ａと係合し、クランパ５８と協働して各ディスク１１，１２，１４をクランプする。よって、各ディスク１１，１２，１４は、ディスクモータ２５により所定回転数で回転する。
【００１９】
また、ベース本体２１の第２の開口部２３の下方には、ホルダ駆動スライダ３０が配設されている（図３参照）。このホルダ駆動スライダ３０は、図示しないスライドモータにより、図中矢印Ｘ１，Ｘ２方向に移動可能な構成とされている。また、ホルダ駆動スライダ３０の所定位置には、上下方向（図中矢印Ｚ１，Ｚ２方向）に延在するカム板部３１が配設されている。
このカム板部３１には長孔により形成された一対の斜めカム３２，３３が設けられている。この各斜めカム３２，３３は、図３に示すように、正面視した状態において略Ｚ字状の形状とされている。よって、ホルダ駆動スライダ３０がスライドモータにより図中矢印Ｘ１，Ｘ２方向に移動すると、これに伴い各斜めカム３２，３３も図中矢印Ｘ１，Ｘ２方向に移動する構成とされている。
【００２０】
また、第１及び第２のディスクレバー駆動カム２８，２９は、ベース本体２１に図中矢印Ｚ１方向に突出するよう形成された突起である（図１，図３，及び図４（Ａ）に詳しい）。この第１及び第２のディスクレバー駆動カム２８，２９は、後述するディスクレバー６０の配設位置と対応する位置に形成されている。尚、このディスクレバー６０は、後述するようにカートリッジ挿入検出手段を兼ねるように取り付けられている。
【００２１】
ホルダ４０は、ベース２０上に配設され、右レール５０，左レール５１，ベースカバー１２０，ディスクレバー６０及びキャリアユニット（搬送機構）７０が配設される。また、ホルダ４０は、後に詳述するようにベース２０上で回動軸５７を中心に揺動可能な構成とされている（図４参照）。
このホルダ４０は、金属板を折り曲げ形成することにより底板部４１，右側壁部４２，及び左側壁部４３を一体的に成形した構成とされている。底板部４１には、第１の開口部４４，第２の開口部４５，及び第３の開口部４９が形成されている。
【００２２】
第１の開口部４４は、前記したベース２０に設けられたターンテーブル２４の配設位置、及びピックアップ２６の移動位置を含んで形成されている。よって、ターンテーブル２４は第１の開口部４４を介して各ディスク１１，１２，１４を装着し、またピックアップ２６と各ディスク１１，１２，１４との間でレーザ光は第１の開口部４４を介して授受される。
【００２３】
第２の開口部４５は、その縁部に垂下部４６が配設されている。この垂下部４６は、底板部４１から下方（図中、矢印Ｚ２方向）に垂下するよう形成されている。また、この垂下部４６には、一対の従動ピン４７，４８が前方に突出するように配設されている。
この垂下部４６は、ホルダ４０をベース２０に組み付けた状態において、ベース２０に形成された第２の開口部２３からベース２０の下方に突出するよう構成されている。また、垂下部４６に配設された従動ピン４７，４８は、図３に示すように、ホルダ駆動スライダ３０に配設されたカム板部３１の斜めカム３２，３３に係合するよう構成されている。
【００２４】
従って、ディスク装置１０が図３に示す状態（図４（Ａ）に示す状態と同じ）からスライドモータが駆動し、ホルダ駆動スライダ３０が図中矢印Ｘ１方向に移動すると、これに伴い従動ピン４７は斜めカム３２内を、従動ピン４８は斜めカム３３内を相対的に下動する。これにより、前側に垂下部４６が設けられているホルダ４０は、後部両側に突出する回動軸５７を中心に図４における反時計方向に揺動する。そして、従動ピン４７，４８が斜めカム３２，３３の下端部に達した状態において、図４（Ｂ）に示すようにホルダ４０は、前端側が下方に傾斜した状態でベース２０と当接する。
【００２５】
また、図４（Ｂ）に示す状態（以下、この状態をホルダ４０の下動位置という）から、スライドモータが駆動してホルダ駆動スライダ３０が図中矢印Ｘ２方向に移動すると、これに伴い各従動ピン４７，４８は、各斜めカム３２，３３内を相対的に上動する。これにより、ホルダ４０は回動軸５７を中心に図４における時計方向に揺動し、そして従動ピン４７，４８が斜めカム３２，３３の上端部に達した状態において、図３及び図４（Ａ）に示すようにホルダ４０はベース２０から離間した状態（以下、この状態をホルダ４０の上動位置という）となる。
【００２６】
一方、第３の開口部４９は、前記したベース２０に設けられた第１及び第２のディスクレバー駆動カム２８，２９と対向する位置に形成されている。従って、ホルダ４０が下動位置に移動すると、第１及び第２のディスクレバー駆動カム２８，２９は、この第３の開口部４９を介して底板部４１の上部に突出するよう構成されている。
上記構成とされた底板部４１の右側部には右側壁部４２が、また左側部には左側壁部４３がそれぞれ形成されている。この各側壁部４２，４３の上部所定範囲は内側に向け直角に折り曲げられることにより鍔部５５，５６を形成している。従って、ホルダ４０の両側部は、図３に示すように正面視した状態において略コ字状の形状となっている。
【００２７】
この鍔部５５，５６を有した各側壁部４２，４３には、レール５０，５１が配設されている。具体的には、右側壁部４２には右レール５０が固定され、左側壁部４３には左レール５１が固定された構成とされている。この各レール５０，５１は樹脂成形されたものであり、ホルダ４０の両側壁部４２，４３に沿って図中矢印Ｙ１，Ｙ２方向に長く延在している。
また、各レール５０，５１の断面は、図３に示すように、略コ字形状とされている。後述するキャリアユニット７０は、このレール５０，５１にガイドされて図中矢印Ｙ１，Ｙ２方向に移動する構成とされている。また、左レール５１の内壁部分にはラックギヤ５２がキャリアユニット７０の移動範囲にわたり形成されている。
【００２８】
更に、右レール５０には右側壁部４２を含め図中矢印Ｘ１，Ｘ２方向に貫通するカートリッジレバー退避用開口５３が形成され、また左レール５１には左側壁部４３を含め図中矢印Ｘ１，Ｘ２方向に貫通するディスクレバー用開口６７が形成されている。尚、上記した各レール５０，５１はホルダ４０に強固に固定されており、ホルダ４０に対して変位するようなことはない。
【００２９】
ディスクレバー６０は、図１に示されるようにレバー本体部６１，回転軸６２，ディスク保持部６３，及び係合部６６を有した構成とされている。回転軸６２はレバー本体部６１の図１におけるＹ１方向端部に立設されており、この回転軸６２はホルダ４０の左側壁部４３に形成された軸受部６４に軸承される。前記したように、左レール５１及び左側壁部４３にはディスクレバー用開口６７が形成されているため、ディスクレバー６０はディスクレバー用開口６７内において回転軸６２を中心として回動自在な構成となる。
【００３０】
また、レバー本体部６１は平板形状とされており、ホルダ４０に装着された状態において底板部４１上に載置される。よって、ディスクレバー６０が回動することにより、レバー本体部６１は底板部４１上を摺動する。また、レバー本体部６１の所定位置には係合部６６が形成されており、この係合部６６はホルダ４０が下動位置に移動した際、ベース２０に設けられている第１または第２のディスクレバー駆動カム２８，２９と選択的に係合する構成とされている。
ディスク保持部６３は上下一対の爪片により構成されており、レバー本体部６１の図１における矢印Ｙ２方向端部に立設された部分に配設されている。このディスク保持部６３は、後述するように８ｃｍディスク１１或いは１２ｃｍディスク１２がディスク装置１０内に挿入され搬送される際、各ディスク１１，１２の挿入方向後部と係合しこれを保持する機能を奏する。
【００３１】
上記構成とされたディスクレバー６０は、図２に示すようにディスクレバー付勢バネ６５に接続されている。このディスクレバー付勢バネ６５は、矢印Ｙ１方向端部がホルダ４０に接続されており、矢印Ｙ２方向端部がディスクレバー６０に接続された構成とされている。このディスクレバー付勢バネ６５により、ディスクレバー６０は平面視した状態において回転軸６２を中心に反時計方向に回動付勢されている。
【００３２】
一方、ベースカバー１２０は両側部を鍔部５５，５６にネジ止めされることにより、ホルダ４０の上部に取り付けられる。このベースカバー１２０は、その中央部にクランパ５８が配設されている。このクランパ５８の配設位置は、ベース２０に設けられたターンテーブル２４の配設位置と対応するよう構成されている。
このクランパ５８は、図４（Ａ）に示すようにホルダ４０が上動位置にある場合には、ターンテーブル２４と離間しており各ディスク１１，１２及びディスクカートリッジ１３のホルダ４０内への装着を許容する状態となっている。また、各ディスク１１，１２及びディスクカートリッジ１３のホルダ４０内への搬送に伴い、ホルダ４０が図４（Ｂ）に示す下動位置に移動すると、相対的にクランパ５８はターンテーブル２４に近接する。
【００３３】
図４（Ａ）（Ｂ）に示されるように、前面ベゼル１３０には、ディスク１１，１２及びディスクカートリッジ１３を挿入するための挿入口１３３が開口している。この挿入口１３３は、カートリッジ挿入前の状態で上下方向に２分割されたドア部材（開閉部材）１３１，１３２により閉塞されている（図４（Ｂ）参照）。ドア部材１３１，１３２はディスクカートリッジ１３を挿入する際に内側に回動する（図４（Ａ）参照）。
【００３４】
そして、挿入口１３３に挿入されたディスク１１，１２またはディスクカートリッジ１３は、キャリアユニット７０によって装置内部に搬送される。そして、搬送が完了した時点において、各ディスク１１，１２，１４はクランパ５８とターンテーブル２４との間でクランプされる。この際、クランパ５８にはクランプ用マグネットが配設されており、ターンテーブル２４にはクランプ用ヨークが配設されている。よって、クランプ用マグネットが磁力により吸着することにより、各ディスク１１，１２，１４は、クランパ５８とターンテーブル２４との間で確実にクランプされる。
【００３５】
ここで、イジェクト動作時において、ディスクカートリッジ１３が挿入口１３３から脱落することを防止するカートリッジロック機構１６０について説明する。
【００３６】
図５はカートリッジロック機構１６０を拡大して示す平面図である。図６はカートリッジ係合部材１６２の形状を示す図であり、（Ａ）は平面図、（Ｂ）は正面図、（Ｃ）は側面図である。
図５に示されるように、カートリッジロック機構１６０は、ディスクカートリッジ１３の係合凹部１６に係合するカートリッジ係合部材１６２を取付ネジ１６４でホルダ４０の底板部４１に回動可能に取り付けた構成となっている。カートリッジ係合部材１６２は、後述するようにキャリアユニット７０がイジェクト方向に移動してカートリッジ１３の後端部が挿入口１３３から突出した状態に排出されると、取付ネジ１６４を支点として時計方向に回動してイジェクト動作終了直前にディスクカートリッジ１３に係合する。
【００３７】
また、ディスクカートリッジ１３が挿入される前の状態では、図２に示されるように、キャリアユニット７０がイジェクト位置Ｐ１に停止しているため、カートリッジ係合部材１６２は、反時計方向に回動しており、ディスクカートリッジ１３の挿入を妨げないように退避している（詳細は後述する）。
【００３８】
図６（Ａ）〜（Ｃ）に示されるように、カートリッジ係合部材１６２は、取付ネジ１６４が挿通される挿通孔１６２ａと、挿通孔１６２ａよりイジェクト方向（Ｙ２方向）へ延在する撓み部１６２ｂと、撓み部１６２ｂの先端より上方へ起立する係合部１６２ｃと、挿通孔１６２ａより挿入方向（Ｙ１方向）へ延在するカム摺接部１６２ｄと、カム摺接部１６２ｄに対して所定角度傾斜し、且つ挿通孔１６２ａより挿入方向（Ｙ１方向）へ延在するバネ部１６２ｅとを有する。
【００３９】
撓み部１６２ｂは、Ｘ方向に撓むことができる第１変形部１６２ｆと、Ｙ方向に撓むことができる第２変形部１６２ｇとを有する。そして、係合部１６２ｃは、第１変形部１６２ｆ及び第２変形部１６２ｇによりＸ，Ｙ方向に変位可能に支持されており、撓み部１６２ｂの先端から右方向（Ｘ２方向）に延在する端部１６２ｈより上方に突出している。
【００４０】
係合部１６２ｃは、後述する回動動作によりディスクカートリッジ１３の係合凹部（被係合部）１６に係合（ロック位置）または離間（ロック解除位置）する。
【００４１】
図５に示されるように、カム摺接部１６２ｄは、先端部１６２ｉがキャリアユニット７０の通路１６５の側壁に設けられた台形状のカム部１６６に摺接するように延在しており、カム部１６６の移動位置に応じてＸ１，Ｘ２方向に変位してカートリッジ係合部材１６２を揺動させる。従って、カートリッジ係合部材１６２は、カム摺接部１６２ｄの先端部１６２ｉがカム部１６６に摺接することにより、時計方向に回動し、挿入口１３３側に延在する撓み部１６２ｂの端部に起立する係合部１６２ｃをホルダ４０の側壁部４２を側方（Ｘ方向）に貫通する貫通孔１６８からホルダ４０内へ挿入させる。
【００４２】
そのため、係合部１６２ｃは、ディスクカートリッジ１３の係合凹部１６に係合する位置に移動している。また、貫通孔１６８には、後述するカートリッジレバー７７の爪部１０６が側方から挿入される。このカートリッジレバー７７は、後述するようにディスクカートリッジ１３の係合凹部１６に係合することによりキャリアユニット７０とディスクカートリッジ１３を連結するものである。
【００４３】
また、カートリッジ係合部材１６２がレール５０より下方に位置するため、係合部１６２ｃはレール５０の下方に開口する台形状の孔１７０に挿通されており、孔１７０を介して貫通孔１６８に挿入される。そして、係合部１６２ｃは、イジェクトされたディスクカートリッジ１３が手動で引き抜かれる際、孔１７０の傾斜部１７０ａを摺動することにより貫通孔１６８内に退避する。
【００４４】
さらに、先端部１６２ｉには、右方向に突出する板状のストッパ部１６２ｊがレール５０の側壁に設けられた溝５０ａに挿入されて上下方向への変位を規制された状態で水平方向へ回動可能に支持される。また、バネ部１６２ｅは、カム摺接部１６２ｄに対して右方向に傾斜するように延在しており、その先端部１６２ｋがレール５０の壁部５０ｂに当接しており、回動方向に応じて弾性変形する。従って、カム摺接部１６２ｄの先端部１６２ｉは、バネ部１６２ｅの反力により反時計方向に押圧され、カム部１６６に摺接する。
【００４５】
続いて、キャリアユニット７０について説明する。
キャリアユニット７０は、各ディスク１１，１２及びディスクカートリッジ１３を保持する構成とされており、前記したホルダ４０に図中矢印Ｙ１，Ｙ２方向に移動可能に配設されるものである。従って、各ディスク１１，１２及びディスクカートリッジ１３を保持した状態でキャリアユニット７０が図中矢印Ｙ１方向に移動することにより、各ディスク１１，１２及びディスクカートリッジ１３は挿入方向に搬送される。また、各ディスク１１，１２及びディスクカートリッジ１３を保持した状態でキャリアユニット７０が図中矢印Ｙ２方向に移動することにより、各ディスク１１，１２及びディスクカートリッジ１３は排出方向に搬送される。
図７に示すように、キャリアユニット７０は上部半体７１，右下部半体７２，左下部半体７３，クリップディスク７４（７４−１〜７４−４），カートリッジレバー７７，及びシャッタレバー７８等により構成されている。
【００４６】
各半体７１〜７３は樹脂成形されたものであり、協働してキャリア本体を構成する。上部半体７１は、右部７１ａと左部７１ｂが連通部７１ｃにより連結された構成とされている。右部７１ａの上面には第１のクリップディスク７４−１が配設される装着凹部９１が形成されており、左部７１ｂには第３のクリップディスク７４−３が配設される装着凹部９０が形成されている。
【００４７】
また、右部７１ａの右側部近傍には、図中矢印Ｙ１，Ｙ２方向に延在するカートリッジレバー案内溝１０３が形成されている。このカートリッジレバー案内溝１０３には、カートリッジレバー７７の軸部１０５が移動可能に係合する。このカートリッジレバー７７は、ディスクカートリッジ１３の搬送を行う際に用いられるものであるが、説明の便宜上その詳細については後述するものとする。
【００４８】
また、右部７１ａの上面には軸孔１１７が形成されており、シャッタレバー７８はこの軸孔１１７に装着される。シャッタレバー７８は、ディスクカートリッジ１３がディスク装置１０に挿入される際、ディスクカートリッジ１３に設けられているシャッタ１５０を開閉する機能を奏するものである。
【００４９】
このシャッタレバー７８は、板状のレバー本体１０９の一端部近傍に下方に向け突出した軸部１１０が形成されており、この軸部１１０が軸孔１１７に回動自在に挿通されることにより上部半体７１に装着される。
【００５０】
また、レバー本体１０９の他端部近傍には、レバー本体１０９の長手方向に延在する長孔１１２が形成されている。そして、この長孔１１２には、シャッタ駆動ピン１１３が移動可能に配設されている。このシャッタ駆動ピン１１３は、図３に示すようにレバー本体１０９より下方に向け突出しており、ディスクカートリッジ１３に設けられているシャッタ（図示せず）と係合するよう構成されている。
【００５１】
そして、シャッタ駆動ピン１１３は、ディスクカートリッジ１３のシャッタ開閉動作時の負荷を軽減するように長孔１１２に対して低摩擦で摺動できるように設けられている。さらに、シャッタ駆動ピン１１３は、シャッタレバー７８の長孔１１２に摺動可能に挿通されると共に、上端がベースカバー１２０に設けられたスリット１２６に摺動可能に挿通されており、スリット１２６を摺動することによりディスクカートリッジ１３のシャッタ（図示せず）を開閉させるように回動することができる。尚、シャッタ駆動ピン１１３は、ディスク装着時はシャッタ復帰バネのバネ力が作用しないため、比較的バネ力の弱い復帰用のトーションバネ１１３ａによりイジェクト方向に移動する。
【００５２】
また、シャッタ駆動ピン１１３は、図１に示されるベースカバー１２０に形成されたスリット１２６に係合したまま移動するよう構成されている。よって、ディスクカートリッジ１３がディスク装置１０に対し挿入／排出される際、シャッタレバー７８の回動に伴いシャッタ駆動ピン１１３が長孔１１２及びスリット１２６に位置規制されて移動することによりシャッタ（図示せず）は開閉される。
【００５３】
続いて、キャリアユニット７０に配設される第１乃至第４のクリップディスク７４（７４−１〜７４−４）について図８（Ａ）（Ｂ）、図９（Ａ）（Ｂ）を参照して説明する。
【００５４】
尚、本実施例では、合計４個のクリップディスク７４（７４−１〜７４−４）が配設されているが、この各クリップディスク７４−１〜７４−４は同一構成とされている。よって、以下の説明において、第１乃至第４のクリップディスク７４−１〜７４−４を特定しないで説明する場合には、クリップディスク７４と総称して説明するものとする。
【００５５】
図８（Ａ）（Ｂ）及び図９（Ａ）（Ｂ）に示されるように、クリップディスク７４は、バネ性を有した樹脂材料により形成されており、固定部８５及び一対の舌片部８６とにより構成されている。固定部８５には、ネジ８７ａが挿通される挿通孔８５ａが形成されている。このネジ８７ａは、挿通孔８５ａを挿通して右部７１ａ，左部７１ｂ，右下部半体７２，左下部半体７３より突出する支持部８７ｂに螺着される。これにより、各クリップディスク７４はキャリアユニット７０に固定される。
【００５６】
また、一対の舌片部８６は、固定部８５の両側部より折り曲げられることにより、固定部８５に対して斜め前方に延出した構成とされている。従って、クリップディスク７４は側面視した状態で略Ｖ字状を有した形状となる。更に、各舌片部８６の先端部には、当接部８８が突出形成されている。
【００５７】
図５に示されるように、第１のクリップディスク７４−１は、装着凹部９１に右部７１ａの上部から配設される。この時、第１のクリップディスク７４−１の舌片部８６は、下部に位置するよう取り付けられる。また、装着凹部９１の舌片部８６と対向する位置には開口部９２が形成されており、舌片部８６はこの開口部９２を介してディスク対向面９３に突出するよう構成されている。
【００５８】
また、第２のクリップディスク７４−２は、右下部半体７２に形成された装着凹部（図に現れず）に下部から配設される。この時、第２のクリップディスク７４−２の舌片部８６は、上部に位置するよう取り付けられる。また、装着凹部の舌片部８６と対向する位置には開口部９２が形成されており、舌片部８６はこの開口部９２を介してディスク対向面９３に突出するよう構成されている。
【００５９】
この際、第１のクリップディスク７４−１と第２のクリップディスク７４−２との配設位置は、互いに対向するよう設定されている。具体的には、図９（Ａ）に示すように、第１のクリップディスク７４−１と第２のクリップディスク７４−２は互いの舌片部８６が対抗するよう配設され、かつ配設状態において各舌片部８６の先端部に形成された当接部８８が舌片部８６のバネ力を持って当接するよう構成されている。この際、各舌片部８６は、各ディスク１１，１２の挿入方向（図中矢印Ｙ１方向）に向け漸次近接することにより当接部８８同士が当接する構成とされている。
【００６０】
上記構成において、キャリアユニット７０に８ｃｍディスク１１或いは１２ｃｍディスク１２が挿入されると、ディスク１１，１２は第１のクリップディスク７４−１と第２のクリップディスク７４−２との間に挿入される。そして、図９（Ｂ）に示すように、ディスク１１，１２の挿入方向右先端部は、第１のクリップディスク７４−１の当接部８８と第２のクリップディスク７４−２の当接部８８との間に挟持（クランプ）される。これによりディスク１１，１２は、第１及び第２のクリップディスク７４−１，７４−２により保持された状態となる。
【００６１】
また、第３のクリップディスク７４−３は、装着凹部９０に左部７１ｂの上部から配設される。この時、第３のクリップディスク７４−３の舌片部８６は、下部に位置するよう取り付けられる。また、装着凹部９０の舌片部８６と対向する位置には開口部９２が形成されており、舌片部８６はこの開口部９２を介してディスク対向面９３に突出するよう構成されている。
【００６２】
また、第３のクリップディスク７４−３と対抗する位置には、第４のクリップディスク７４−４が配設されている。よって、上記第１及び第２のクリップディスク７４−１，７４−２と同様に、第３のクリップディスク７４−３と第４のクリップディスク７４−４は互いの舌片部８６が対抗するよう配設され、かつ配設状態において各舌片部８６の先端部に形成された当接部８８が舌片部８６のバネ力を持って当接するよう構成されている。
【００６３】
従って、キャリアユニット７０に８ｃｍディスク１１或いは１２ｃｍディスク１２が挿入されると、ディスク１１，１２は第３のクリップディスク７４−３と第４のクリップディスク７４−４との間に挿入される。そして、図９（Ｂ）に示すように、ディスク１１，１２の挿入方向左先端部は、第３のクリップディスク７４−３の当接部８８と第４のクリップディスク７４−４の当接部８８との間に挟持（クランプ）される。これによりディスク１１，１２は、第３及び第４のクリップディスク７４−３，７４−４により保持された状態となる。
【００６４】
このように、８ｃｍディスク１１或いは１２ｃｍディスク１２は、左右先端部が第１及び第２のクリップディスク７４−１，７４−２と第３及び第４のクリップディスク７４−３，７４−４とによりクランプされる。
【００６５】
一方、右下部半体７２は、上部半体７１を構成する右部７１ａの下部に配設されるものである。この右下部半体７２右側部近傍には、図中矢印Ｙ１，Ｙ２方向に延在するカートリッジレバー案内溝１０４が形成されている。このカートリッジレバー案内溝１０４には、カートリッジレバー７７の下部に位置する軸部１０５（図に現れず）が移動可能に係合する。
【００６６】
従って、右下部半体７２が上部半体７１に固定された状態において、カートリッジレバー７７の上下に突出した軸部１０５はカートリッジレバー案内溝１０３，１０４に移動可能でかつ回動可能に係合する。即ち、カートリッジレバー７７は、カートリッジレバー案内溝１０３，１０４の形成範囲にわたり、各ディスク１１，１２，１４の挿入脱方向（図中矢印Ｙ１，Ｙ２方向）に移動可能な構成となっており、かつカートリッジレバー７７は軸部１０５を中心として回動可能な構成となっている。
【００６７】
このカートリッジレバー７７には、カートリッジレバー付勢バネ１０８が配設されている。このカートリッジレバー付勢バネ１０８の一端部は、カートリッジレバー７７に形成されたバネ掛け部１０７に掛止されており、他端部は右下部半体７２の所定位置に掛止されている。これにより、カートリッジレバー７７は、軸部１０５を中心として図２における時計方向に回動付勢されている。
【００６８】
また、右下部半体７２には、ディスク対向面９３が形成されており、このディスク対向面９３の外周位置には、８ｃｍディスク用湾曲壁９４及び１２ｃｍディスク用湾曲壁９５が立設されている。８ｃｍディスク用湾曲壁９４は半径４ｃｍの曲率を有しており、また１２ｃｍディスク用湾曲壁９５は半径６ｃｍの曲率を有している。
【００６９】
そして、８ｃｍディスク１１がキャリアユニット７０に挿入された際、８ｃｍディスク１１の挿入方向の先端部分は、８ｃｍディスク用湾曲壁９４に当接し、また１２ｃｍディスク１２がキャリアユニット７０に装着された際、１２ｃｍディスク１２の挿入方向の先端部分は１２ｃｍディスク用湾曲壁９５に当接する。前記したように、各ディスク用湾曲壁９４，９５は、装着される各ディスク１１，１２の半径に対応した曲率を有した構成とされており、また曲率の大きな１２ｃｍディスク用湾曲壁９５に対し、曲率の小さな８ｃｍディスク用湾曲壁９４は図中矢印Ｙ１方向側に配置されている。
尚、上記構成とされた８ｃｍディスク用湾曲壁９４及び１２ｃｍディスク用湾曲壁９５は、右部７１ａ，左部７１ｂ及び左下部半体７３にも設けられている（右部７１ａ及び左部７１ｂに形成された各ディスク用湾曲壁９４，９５は図に現れず）。
【００７０】
従って、８ｃｍディスク１１がキャリアユニット７０に挿入された際、８ｃｍディスク１１は８ｃｍディスク用湾曲壁９４に当接する。８ｃｍディスク用湾曲壁９４は８ｃｍディスク１１の外周と対応した形状とされているため、単に８ｃｍディスク１１を８ｃｍディスク用湾曲壁９４に押し当てるだけで、キャリアユニット７０に対する８ｃｍディスク１１の位置決めを行うことができる（図９（Ａ）（Ｂ）及び図１２（Ａ）（Ｂ）参照）。
【００７１】
同様に、１２ｃｍディスク１２がキャリアユニット７０に挿入された際、１２ｃｍディスク１２は８ｃｍディスク用湾曲壁９４に当接することなく１２ｃｍディスク用湾曲壁９５に当接する。従って、単に１２ｃｍディスク１２を１２ｃｍディスク用湾曲壁９５に押し当てるだけで、キャリアユニット７０に対する１２ｃｍディスク１２の位置決めを行うことができる（図９（Ａ）（Ｂ）及び図１２（Ａ）（Ｂ）参照）。
【００７２】
図１０（Ａ）（Ｂ）に示されるように、ディスク対向面９３は、各ディスク用湾曲壁９４，９５から図中矢印Ｙ２方向に進むにつれて傾斜する傾斜面とされている。よって、各ディスク１１，１２をキャリアユニット７０に装着する際、各ディスク１１，１２はディスク対向面９３に案内されてディスク用湾曲壁９４，９５に押し当てられることとなり、これによっても各ディスク１１，１２のキャリアユニット７０に対する位置決め処理を容易に行うことができる。
【００７３】
更に、ディスクカートリッジ１３がディスク装置１０に挿入された場合には、図１２（Ｂ）に示すように、ディスクカートリッジ１３の先端部がキャリアユニット７０の前面８９に当接することにより、キャリアユニット７０に対するディスクカートリッジ１３の位置決めが行なわれるよう構成されている。また、右下部半体７２にはディスクカートリッジ検出用スイッチ９８が配設されており、その接触部９９は前面８９から突出するよう構成されている（図１２（Ａ）（Ｂ）参照）。よって、ディスクカートリッジ１３がキャリアユニット７０と当接する位置まで挿入されたことは、ディスクカートリッジ検出用スイッチ９８の出力により検知することができる。
【００７４】
一方、左下部半体７３には、ローディングモータ１００及びギヤ群１０１が配設されている。ローディングモータ１００はギヤ群１０１と噛合することにより、ギヤ群１０１を駆動する構成とされている。また、ギヤ群１０１の最外部に位置するギヤ１０２は、左下部半体７３から外部に突出するよう構成されている。このギヤ１０２は、キャリアユニット７０がホルダ４０に取り付けられた状態において、ホルダ４０に配設された左レール５１に形成されたラックギヤ５２と噛合するよう構成されている。
従って、ローディングモータ１００が駆動し、ラックギヤ５２と噛合したギヤ１０２がギヤ群１０１を介して回動することにより、キャリアユニット７０はホルダ４０内で図中矢印Ｙ１方向（挿入方向）及び図中矢印Ｙ２方向（排出方向）に移動する。また、各ディスク１１，１２及びディスクカートリッジ１３をキャリアユニット７０が保持した状態でローディングモータ１００が駆動することにより、キャリアユニット７０と共に各ディスク１１，１２及びディスクカートリッジ１３も図中矢印Ｙ１方向（挿入方向）及び図中矢印Ｙ２方向（排出方向）に搬送される。
【００７５】
また、前記したように左下部半体７３にも８ｃｍディスク用湾曲壁９４及び１２ｃｍディスク用湾曲壁９５が設けられているが、図１１（Ａ）（Ｂ）及び図１２（Ａ）（Ｂ）に示すように、この８ｃｍディスク用湾曲壁９４には８ｃｍディスク検出用スイッチ９６が、また１２ｃｍディスク用湾曲壁９５には１２ｃｍディスク検出用スイッチ９７が配設されている。
そして、８ｃｍディスク検出用スイッチ９６は８ｃｍディスク１１がキャリアユニット７０内の所定装着位置（８ｃｍディスク用湾曲壁９４と当接する位置）に挿入されることにより、また１２ｃｍディスク検出用スイッチ９７は１２ｃｍディスク１２がキャリアユニット７０内の所定装着位置（１２ｃｍディスク用湾曲壁９５と当接する位置）に挿入されることにより信号を出力する構成とされている。よって、各ディスク検出用スイッチ９６，９７からの出力から、各ディスク１１，１２がキャリアユニット７０内の所定装着位置に装着されたことを検知することができる。
【００７６】
ここで、図１３を参照して、キャリアユニット７０がイジェクト位置Ｐ１（キャリアユニット７０の後端がイジェクト動作後に停止する位置：図２参照）から８Ｌ開始位置Ｐ２（キャリアユニット７０の後端が直径８ｃｍのディスクが挿入された場合の装着開始位置：図２参照）まで移動する間の、ディスクレバー６０の動作について説明する。
図１３は、キャリアユニット７０及びディスクレバー６０を裏側から見た底面図であり、（Ａ）はキャリアユニット７０がイジェクト位置Ｐ１に位置した状態を示し、（Ｂ）はキャリアユニット７０がイジェクト位置Ｐ１と８Ｌ開始位置Ｐ２の間に位置した状態を示し、（Ｃ）はキャリアユニット７０が８Ｌ開始位置Ｐ２に位置した状態を示している。
【００７７】
キャリアユニット７０がイジェクト位置Ｐ１から８Ｌ開始位置Ｐ２まで移動することにより、キャリアユニット７０の裏面に形成された段差状のカム部Ｎ１が図中矢印Ｙ１方向に移動する。これにより、ディスクレバー６０は、図１３（Ｃ）に示すようにディスクレバー付勢バネ６５の付勢力によりレバー本体部６１が段差状のカム部Ｎ１に摺接しつつ反時計方向に回動し、ディスクレバー６０に形成されているディスク保持部６３は８ｃｍディスク１１の挿入方向後部に係合する。
【００７８】
ディスクレバー６０は、レバー本体部６１が段差状のカム部Ｎ１から離間すると、ディスクレバー付勢バネ６５の付勢力により、８ｃｍディスク１１の挿入方向後部をディスク挿入方向に押圧する。
【００７９】
これにより、８ｃｍディスク１１は、その挿入方向前部をクリップディスク７４に保持されると共に、挿入方向後部をディスクレバー６０により保持された構成となる。このように、本実施例では８ｃｍディスク１１の挿入方向前部及び挿入方向後部の双方を保持することにより、カートリッジに装着されていない構成の８ｃｍディスク１１であっても、この８ｃｍディスク１１がキャリアユニット７０から離脱することを防止でき、安定した搬送処理を行うことが可能となる。
【００８０】
また、レバー本体部６１は、キャリアユニット７０の裏面に形成された段差状のカム部Ｎ１により回動動作時期を調整されており、ディスク保持部６３は８ｃｍディスク１１の最大直径部位（矢印Ｘ１，Ｘ２方向に対する最大径部位。即ち、中央位置）が図中矢印Ｙ１方向に通過した後に初めて、８ｃｍディスク１１の挿入方向後部に当接するよう構成されている。これにより、ディスク挿入負荷の軽減を図ることができる。
【００８１】
一方、カートリッジレバー７７は、キャリアユニット７０がイジェクト位置Ｐ１から８Ｌ開始位置Ｐ２に移動することにより、カートリッジレバー付勢バネ１０８に付勢されて軸部１０５がカートリッジレバー案内溝１０３，１０４内を図中矢印Ｙ２方向に移動する。即ち、カートリッジレバー７７は、キャリアユニット７０に対しては図中矢印Ｙ２方向に相対的に移動する。
【００８２】
しかしながら、上記イジェクト位置Ｐ１から８Ｌ開始位置Ｐ２までの移動過程では、カートリッジレバー７７の係合爪１０６はカートリッジレバー退避用カム５４と当接した状態を維持しており、よってホルダ４０に対するカートリッジレバー７７の位置は変化していない。
【００８３】
ここで、ディスク装置１０の前面に取り付けられる前面ベゼル１３０及び挿入口１３３を開閉するドア部材１３１，１３２について説明する。
図１４及び図４（Ａ）（Ｂ）に示されるように、前面ベゼル１３０には、イヤホンジャック１３４ａ、ボリュームスイッチ１３４ｂ、ＬＥＤ（発光ダイオード）１３４ｃ、イジェクト釦１３４ｄ、ディスク１１，１２及びディスクカートリッジ１３を挿入するための挿入口１３３が設けられている。この挿入口１３３の高さ及び横幅寸法は、ディスクカートリッジ１３が通過できる寸法に形成されている。そして、挿入口１３３は、カートリッジ挿入前の状態で上下方向に２分割されたドア部材１３１，１３２により閉塞されている。
【００８４】
ドア部材１３１，１３２は、両端が回動可能に支持されており、ディスクカートリッジ１３が挿入またはイジェクトされる際にドア部材１３１は上方に回動し、ドア部材１３２は下方に回動する。尚、ドア部材１３１，１３２は、ディスクカートリッジ１３が挿入されるときはディスクカートリッジ１３に押圧されて装置内側に回動するが、イジェクト時は開閉機構（図示せず）により開動作するようになっている。
また、ドア部材１３１，１３２は、挿入口１３３の中央に位置する凹部１３１ａ，１３２ａを有する。この凹部１３１ａ，１３２ａは、ドア部材１３１，１３２が閉蓋位置にあるとき、互いに突き合わされ、挿入口１３３を介して装置内外を連通するためのスリット（隙間）１３５を形成する。このスリット１３５は、ディスク１１，１２を装置内に挿入するための開口となる。
【００８５】
図１５に示されるように、ドア部材１３１，１３２は、裏面（装置内側）に凹部１３１ａ，１３２ａを塞ぐ弾性部材１３６，１３７が貼着されている。この弾性部材１３６，１３７は、例えばフエルト材などの弾性を有する素材により形成されており、ディスク１１，１２の挿入操作により内側に撓むことができる。また、イジェクト時には、ディスク１１，１２のイジェクト動作により外側に撓むことができる。尚、弾性部材１３６，１３７は、フエルト材以外の弾性材（例えば、ゴム材など）により形成することもできる。
【００８６】
図１６に示されるように、ディスクカートリッジ１３が挿入されるときは、ドア部材１３１，１３２が開放方向に回動してディスクカートリッジ１３の挿入操作を許容する。そのため、ディスクカートリッジ１３は、挿入口１３３にガイドされて挿入口１３３の中央を通過するため、スムーズに挿入できると共に、前述したキャリアユニット７０のカートリッジレバー７７に確実に係止されて装置内に搬送される。
図１７に示されるように、ディスク１１，１２を挿入する際は、ドア部材１３１，１３２間に形成されたスリット１３５に挿入することにより、弾性部材１３６，１３７がディスク１１，１２の周縁部に押圧されて装置内側に撓む。その際、ディスク１１，１２は、上下面が弾性変形した弾性部材１３６，１３７によって挟持されながら装置内に挿入されるため、挿入口１３３の中央を通過するように弾性部材１３６，１３７によってガイドされながら挿入される。
【００８７】
従って、ディスク１１，１２は、ディスクカートリッジ１３と同様に挿入口１３３の中央を通過して挿入されるため、前述したキャリアユニット７０のクリップディスク７４によって確実に保持されて装置内に搬送される。
尚、本実施例では、ドア部材１３１，１３２が２部材により形成されているが、これに限らず、１部材により挿入口１３３を開閉する構成としても良いのは勿論である。
【００８８】
ここで、図１３及び図１８乃至図２０を参照して、キャリアユニット７０がイジェクト位置Ｐ１から８Ｌ開始位置Ｐ２まで移動する間の、ディスクレバー６０の動作について説明する。
【００８９】
キャリアユニット７０がイジェクト位置Ｐ１から８Ｌ開始位置Ｐ２まで移動することにより、キャリアユニット７０の裏面に形成された段差状のカム部Ｎ１が図中矢印Ｙ１方向に移動する。これにより、ディスクレバー６０は、ディスクレバー付勢バネ６５の付勢力によりレバー本体部６１が段差状のカム部Ｎ１に摺接しつつ反時計方向（図１８に矢印Ｃ１で示す方向）に回動し、ディスクレバー６０に形成されている係合爪部６３は図１１（Ｃ）及び図１８に示すように８ｃｍディスク１１の挿入方向後部に係合する。
【００９０】
ディスクレバー６０は、レバー本体部６１が段差状のカム部Ｎ１から離間すると、ディスクレバー付勢バネ６５の付勢力により、８ｃｍディスク１１の挿入方向後部をディスク挿入方向に押圧する。
【００９１】
これにより、８ｃｍディスク１１は、その挿入方向前部をクリップディスク７４（７４−１〜７４−４）に保持されると共に、挿入方向後部をディスクレバー６０により保持された構成となる。このように、本実施例では８ｃｍディスク１１の挿入方向前部及び挿入方向後部の双方を保持することにより、カートリッジに装着されていない構成の８ｃｍディスク１１であっても、この８ｃｍディスク１１がキャリアユニット７０から離脱することを防止でき、安定した搬送処理を行うことが可能となる。
【００９２】
また、レバー本体部６１はキャリアユニット７０の裏面に形成された段差状のカム部Ｎ１により回動動作時期を調整されており、係合爪部６３は８ｃｍディスク１１の最大直径部位（矢印Ｘ１，Ｘ２方向に対する最大径部位。即ち、中央位置）が図中矢印Ｙ１方向に通過した後に初めて、８ｃｍディスク１１の挿入方向後部に当接するよう構成されている。よって、ディスク外周によりディスクレバー付勢バネ６５の付勢力に抗して、ディスクレバー６１を矢印Ｃ２方向に回動させる必要がありません。この構成により、ディスク挿入負荷の小さいディスク装置を実現できます。
【００９３】
また、カートリッジレバー７７は、キャリアユニット７０がイジェクト位置Ｐ１から８Ｌ開始位置Ｐ２に移動することにより、カートリッジレバー付勢バネ１０８に付勢されて軸部１０５がカートリッジレバー案内溝１０３，１０４内を図中矢印Ｙ２方向に移動する。即ち、カートリッジレバー７７は、キャリアユニット７０に対しては図中矢印Ｙ２方向に相対的に移動する。
【００９４】
しかしながら、上記イジェクト位置Ｐ１から８Ｌ開始位置Ｐ２までの移動では、カートリッジレバー７７の係合爪１０６はカートリッジレバー退避用カム５４と当接した状態を維持しており、よってホルダ４０に対するカートリッジレバー７７の位置は変化していない。
【００９５】
ここで、ディスク装置１０の前面に取り付けられる前面ベゼル１３０及び挿入口１３３を開閉するドア部材１３１，１３２について説明する。
図１４及び図４（Ａ）（Ｂ）に示されるように、前面ベゼル１３０には、各種操作スイッチ１３４の他にディスク１１，１２及びディスクカートリッジ１３を挿入するための挿入口１３３が設けられている。この挿入口１３３の高さ及び横幅寸法は、ディスクカートリッジ１３が通過できる寸法に形成されている。そして、挿入口１３３は、カートリッジ挿入前の状態で上下方向に２分割されたドア部材１３１，１３２により閉塞されている。
【００９６】
ドア部材１３１，１３２は、両端が回動可能に支持されており、ディスクカートリッジ１３が挿入またはイジェクトされる際にドア部材１３１は上方に回動し、ドア部材１３２は下方に回動する。尚、ドア部材１３１，１３２は、ディスクカートリッジ１３が挿入されるときはディスクカートリッジ１３に押圧されて装置内側に回動するが、イジェクト時は開閉機構（図示せず）により開動作するようになっている。
また、ドア部材１３１，１３２は、挿入口１３３の中央に位置する凹部１３１ａ，１３２ａを有する。この凹部１３１ａ，１３２ａは、ドア部材１３１，１３２が閉蓋位置にあるとき、互いに突き合わされ、挿入口１３３を介して装置内外を連通するためのスリット（隙間）１３５を形成する。このスリット１３５は、ディスク１１，１２を装置内に挿入するための開口となる。
【００９７】
図１３に示されるように、ドア部材１３１，１３２は、裏面（装置内側）に凹部１３１ａ，１３２ａを塞ぐ弾性部材１３６，１３７が貼着されている。この弾性部材１３６，１３７は、例えばフエルト材などの弾性を有する素材により形成されており、ディスク１１，１２の挿入操作により内側に撓むことができる。また、イジェクト時には、ディスク１１，１２のイジェクト動作により外側に撓むことができる。尚、弾性部材１３６，１３７は、フエルト材以外の弾性材（例えば、ゴム材など）により形成することもできる。
【００９８】
図１６に示されるように、ディスクカートリッジ１３が挿入されるときは、ドア部材１３１，１３２が開放方向に回動してディスクカートリッジ１３の挿入操作を許容する。そのため、ディスクカートリッジ１３は、挿入口１３３にガイドされて挿入口１３３の中央を通過するため、スムーズに挿入できると共に、前述したキャリアユニット７０のカートリッジレバー７７に確実に係止されて装置内に搬送される。
図１７に示されるように、ディスク１１，１２を挿入する際は、ドア部材１３１，１３２間に形成されたスリット１３５に挿入することにより、弾性部材１３６，１３７がディスク１１，１２の周縁部に押圧されて装置内側に撓む。その際、ディスク１１，１２は、上下面が弾性変形した弾性部材１３６，１３７によって挟持されながら装置内に挿入されるため、挿入口１３３の中央を通過するように弾性部材１３６，１３７によってガイドされながら挿入される。
【００９９】
従って、ディスク１１，１２は、ディスクカートリッジ１３と同様に挿入口１３３の中央を通過して挿入されるため、前述したキャリアユニット７０のクリップディスク７４（７４−１〜７４−４）によって確実に保持されて装置内に搬送される。
尚、本実施例では、ドア部材１３１，１３２が２部材により形成されているが、これに限らず、１部材により挿入口１３３を開閉する構成としても良いのは勿論である。
【０１００】
ここで、図１３及び図１８乃至図２０を参照して、キャリアユニット７０がイジェクト位置Ｐ１から８Ｌ開始位置Ｐ２まで移動する間の、ディスクレバー６０の動作について説明する。
【０１０１】
キャリアユニット７０がイジェクト位置Ｐ１から８Ｌ開始位置Ｐ２まで移動することにより、キャリアユニット７０の裏面に形成された段差状のカム部Ｎ１が図中矢印Ｙ１方向に移動する。これにより、ディスクレバー６０は、ディスクレバー付勢バネ６５の付勢力によりレバー本体部６１が段差状のカム部Ｎ１に摺接しつつ反時計方向（図１８に矢印Ｃ１で示す方向）に回動し、ディスクレバー６０に形成されている係合爪部６３は図１１（Ｃ）及び図１８に示すように８ｃｍディスク１１の挿入方向後部に係合する。
【０１０２】
ディスクレバー６０は、レバー本体部６１が段差状のカム部Ｎ１から離間すると、ディスクレバー付勢バネ６５の付勢力により、８ｃｍディスク１１の挿入方向後部をディスク挿入方向に押圧する。
【０１０３】
これにより、８ｃｍディスク１１は、その挿入方向前部をクリップディスク７４（７４−１〜７４−４）に保持されると共に、挿入方向後部をディスクレバー６０により保持された構成となる。このように、本実施例では８ｃｍディスク１１の挿入方向前部及び挿入方向後部の双方を保持することにより、カートリッジに装着されていない構成の８ｃｍディスク１１であっても、この８ｃｍディスク１１がキャリアユニット７０から離脱することを防止でき、安定した搬送処理を行うことが可能となる。
【０１０４】
また、レバー本体部６１はキャリアユニット７０の裏面に形成された段差状のカム部Ｎ１により回動動作時期を調整されており、係合爪部６３は８ｃｍディスク１１の最大直径部位（矢印Ｘ１，Ｘ２方向に対する最大径部位。即ち、中央位置）が図中矢印Ｙ１方向に通過した後に初めて、８ｃｍディスク１１の挿入方向後部に当接するよう構成されている。よって、ディスク外周によりディスクレバー付勢バネ６５の付勢力に抗して、ディスクレバー６１を矢印Ｃ２方向に回動させる必要がありません。この構成により、ディスク挿入負荷の小さいディスク装置を実現できます。
【０１０５】
また、カートリッジレバー７７は、キャリアユニット７０がイジェクト位置Ｐ１から８Ｌ開始位置Ｐ２に移動することにより、カートリッジレバー付勢バネ１０８に付勢されて軸部１０５がカートリッジレバー案内溝１０３，１０４内を図中矢印Ｙ２方向に移動する。即ち、カートリッジレバー７７は、キャリアユニット７０に対しては図中矢印Ｙ２方向に相対的に移動する。
【０１０６】
しかしながら、上記イジェクト位置Ｐ１から８Ｌ開始位置Ｐ２までの移動では、カートリッジレバー７７の係合爪１０６はカートリッジレバー退避用カム５４と当接した状態を維持しており、よってホルダ４０に対するカートリッジレバー７７の位置は変化していない。
【０１０７】
また、図１８に示すキャリアユニット７０が８Ｌ開始位置Ｐ２まで移動した状態では、カートリッジレバー７７はキャリアユニット７０の前面８９に対して図中矢印Ｙ２方向に延出した状態となる。しかしながら、キャリアユニット７０はディスク装置１０内で移動しているため、カートリッジレバー７７がディスク装置１０から突出するようなことはない。
【０１０８】
上記のようにキャリアユニット７０が８Ｌ開始位置Ｐ２位置まで移動すると、制御装置はローディングモータ１００に対し正規電圧（Ｅ）を印加する。これにより、キャリアユニット７０はローディングモータ１００の駆動力により、図中矢印Ｙ１方向に移動を開始する。そして、図１９に示すように、８ｃｍディスク１１が、その中央に形成されたセンターホール１１ａとターンテーブル２４とが一致する位置まで搬送されると、制御装置は一旦８ｃｍディスク１１の搬送を中止する。
尚、以下の説明において、８ｃｍディスク１１のセンターホール１１ａとターンテーブル２４とが一致するキャリアユニット７０の位置を８ｃｍディスクローディング完了位置（８Ｌ完了位置と略称する）といい、図中Ｐ４で示すものとする。また、この時における８ｃｍディスク１１の位置をローディング位置というものとする。
【０１０９】
このキャリアユニット７０が８Ｌ開始位置Ｐ２から８Ｌ完了位置Ｐ４に移動する際、ディスクレバー６０は常に８ｃｍディスク１１の挿入方向後部と係合した状態を維持する。
即ち、ディスクレバー６０は回転軸６２を中心に回動自在の構成とされており、かつ回転軸６２により反時計方向（図１８に矢印Ｃ１で示す方向）に常に付勢されている。従って、８ｃｍディスク１１が図中矢印Ｙ１方向に搬送されることにより、これに追随してディスクレバー６０は回動し、よってディスクレバー６０は常に８ｃｍディスク１１の挿入方向後部と係合した状態を維持する。これにより、８Ｌ開始位置Ｐ２から８Ｌ完了位置Ｐ４に８ｃｍディスク１１が搬送される間も、８ｃｍディスク１１はキャリアユニット７０及びディスクレバー６０に確実に保持され安定した搬送が行なわれる。
【０１１０】
また、カートリッジレバー７７は、図１８に示すキャリアユニット７０が８Ｌ開始位置Ｐ２まで移動した時点で軸部１０５がカートリッジレバー案内溝１０３，１０４の図中矢印Ｙ２方向限の位置まで移動しているため、更にキャリアユニット７０が図中矢印Ｙ１方向に移動することにより、キャリアユニット７０と共に図中矢印Ｙ１方向に移動する。
【０１１１】
この際、係合爪１０６はカートリッジレバー退避用カム５４から離間し、コイルバネ１０８の付勢力によって時計方向に回動しつつ矢印Ｙ１方向に移動する。このため、カートリッジレバー７７は右レール５０に沿うように軸部１０５を中心として時計方向に回動し、カートリッジレバー７７の側面が縁部５３ａから離間した状態において、図１９に示されるようにカートリッジレバー７７は右レール５０に沿った状態（図中、矢印Ｙ１，Ｙ２方向に延在する状態）となる。
【０１１２】
上記のように８ｃｍディスク１１がセンターホール１１ａとターンテーブル２４とが一致する８Ｌ完了位置Ｐ４まで搬送されると、制御装置は前記したスライドモータを駆動し、ホルダ駆動スライダ３０を図中矢印Ｘ１方向に移動させる（図３参照）。これにより、ホルダ４０は図４（Ａ）に示す上動位置から回動軸５７を中心として図４（Ｂ）に示す下動位置に移動し、これに伴い８ｃｍディスク１１も下動してターンテーブル２４に装着される。また、前記したようにホルダ４０に配設されたクランパ５８がターンテーブル２４にクランプ用マグネットの吸着力により吸着され、これにより８ｃｍディスク１１はクランパ５８とターンテーブル２４との間でクランプされる。
【０１１３】
これにより、８ｃｍディスク１１はディスクモータ２５により回転可能な状態となる。しかしながら、前記したキャリアユニット７０及びディスクレバー６０により保持された状態では、８ｃｍディスク１１は回転することはできない。このため、８ｃｍディスク１１がクランプされた後、キャリアユニット７０及びディスクレバー６０は８ｃｍディスク１１を保持する位置から退避するよう構成されている。
【０１１４】
先ず、ディスクレバー６０が８ｃｍディスク１１を保持する位置から退避する動作について説明する．
前記したように、ベース２０には第１及び第２のディスク駆動カム２８，２９が立設されている。この内、第１のディスク駆動カム２８は、キャリアユニット７０が８Ｌ完了位置Ｐ４位置まで移動したときにおける、ディスクレバー６０の位置に対応した位置に配設されている。
【０１１５】
即ち、ディスクレバー６０はキャリアユニット７０が図中矢印Ｙ１方向に移動し、これに伴い８ｃｍディスク１１が同方向に搬送されると、これに伴い回転軸６２を中心として回動する。そして、８ｃｍディスク１１が図１９に示す８Ｌ完了位置Ｐ４まで移動し、これに伴いディスクレバー６０が図１９に示す位置まで回動した際、ディスクレバー６０に形成されている係合部６６は、ベース２０に形成されている第１のディスク駆動カム２８と対向するよう構成されている。
【０１１６】
従って、上記のようにホルダ４０が上動位置から下動位置に移動することにより、第１のディスク駆動カム２８はディスクレバー６０の係合部６６と係合し、ディスクレバー６０を図２０に矢印Ｃ２で示す方向に回動付勢する。これにより、ディスクレバー６０に設けられている係合爪部６３は、図２０に示すように８ｃｍディスク１１から離間する。
この際、図４（Ａ）に示されるように、第１のディスク駆動カム２８にはテーパ面が形成されているため、ディスクレバー６０の回動付勢を円滑に行なうことができる。
【０１１７】
続いて、キャリアユニット７０が８ｃｍディスク１１を保持する位置から退避する動作について説明する。
前記したように、キャリアユニット７０が８Ｌ完了位置Ｐ４まで搬送されると、８ｃｍディスク１１はクランパ５８とターンテーブル２４との間でクランプされる。即ち、８ｃｍディスク１１は、この状態において図中矢印Ｙ１，Ｙ２方向への移動が不可能となる。
【０１１８】
制御手段は、８ｃｍディスク１１がクランパ５８とターンテーブル２４との間でクランプされたことを図示しない検知スイッチにより検知すると、再びローディングモータ１００を駆動し、キャリアユニット７０を図２０に示す位置まで移動させる。 尚、以下の説明において、図２０に示すキャリアユニット７０の位置を８ｃｍディスクローディング退避位置（８Ｌ退避位置と略称する）といい、図中Ｐ５で示すものとする。
【０１１９】
前記のように８ｃｍディスク１１がクランプされた状態でキャリアユニット７０が８Ｌ完了位置Ｐ４位置から８Ｌ退避位置Ｐ５に移動することにより、８ｃｍディスク１１は各クリップディスク７４（７４−１〜７４−４）から離脱する。これにより、キャリアユニット７０による８ｃｍディスク１１の保持も解除される。
【０１２０】
尚、８ｃｍディスク１１がディスク装置１０から排出される際には、上記した装着時における動作と反対の動作となるためその説明は省略する。
但し、８ｃｍディスク１１の排出時には、図１８に示す８Ｌ開始位置Ｐ２から図２に示すイジェクト位置Ｐ１位置までの間も、ローディングモータ１００には正規電圧（Ｅ）が印加される。このため、操作者がキャリアユニット７０から８ｃｍディスク１１を取り出す（離脱させる）操作は、キャリアユニット７０が図２に示すイジェクト位置Ｐ１にある状態において行なわれる。この状態では、８ｃｍディスク１１はフロントベゼル１３０から大きく引き出されるため、８ｃｍディスク１１の取り出し操作を容易に行うことができる。
【０１２１】
続いて、図２１乃至図２３を用いて１２ｃｍディスク１２がディスク装置１０に挿入された時の搬送動作について説明する。
図２に示したイジェクト状態のディスク装置１０に、フロントベゼル１３０を介して１２ｃｍディスク１２を挿入すると、前記したように１２ｃｍディスク１２はディスク対向面９３に案内されて図中矢印Ｙ１方向に進行し、やがて１２ｃｍディスク用湾曲壁９５に当接し、これと共に１２ｃｍディスク用舌片部８６（クリップディスク７４（７４−１〜７４−４））に保持される。
【０１２２】
また、１２ｃｍディスク１２が１２ｃｍディスク用湾曲壁９５と当接することにより、１２ｃｍディスク検出用スイッチ９７は１２ｃｍディスク１２により押圧操作される。これにより、制御装置は１２ｃｍディスク１２がキャリアユニット７０に保持されたことを検知する。
【０１２３】
１２ｃｍディスク１２がキャリアユニット７０に保持されたことが検知されると、制御装置はローディングモータ１００に対し電圧印加を開始する。この際、１２ｃｍディスク１２の挿入時においても、制御装置はキャリアユニット７０が図２に示す位置から図２１に示す位置まで移動する間は、ローディングモータ１００に対して正規駆動電圧（Ｅ）の半分の電圧（Ｅ／２）を印加する構成としており、ディスク挿入時における操作性の向上を図っている。
尚、以下の説明において、キャリアユニット７０の図２１に示す位置を１２ｃｍディスクローディング開始位置（１２Ｌ開始位置と略称する）といい、図中Ｐ４で示すものとする。また、この１２Ｌ開始位置Ｐ４位置は、８ｃｍディスク１１の搬送時における、図１９に示した８Ｌ完了位置Ｐ４と同一の位置となるよう設定されている。
【０１２４】
一方、キャリアユニット７０がイジェクト位置Ｐ１から１２Ｌ開始位置Ｐ４まで移動することにより、キャリアユニット７０の裏面に形成された段差状のカム部Ｎ１が図中矢印Ｙ１方向に移動する。これにより、ディスクレバー６０は、ディスクレバー付勢バネ６５の付勢力によりレバー本体部６１が段差状のカム部Ｎ１に摺接しつつ、反時計方向（図２１に矢印Ｃ１で示す方向）に回動し、ディスクレバー６０に形成されている係合爪部６３は図２１に示すように、１２ｃｍディスク１２の挿入方向後部に係合する。ディスクレバー６０は、レバー本体部６１が段差状のカム部Ｎ１から離間した後は、ディスクレバー付勢バネ６５の付勢力により、１２ｃｍディスク１２を押圧する。
【０１２５】
これにより、１２ｃｍディスク１２の挿入においても、１２ｃｍディスク１２はその挿入方向前部をクリップディスク７４（７４−１〜７４−４）に保持されると共に、挿入方向後部をディスクレバー６０により保持された構成となる。従って、１２ｃｍディスク１２は挿入方向前部及び挿入方向後部の双方を保持されることになり、カートリッジに装着されていない構成の１２ｃｍディスク１２であってもキャリアユニット７０から離脱することを防止でき、安定した搬送処理を行うことができる。
【０１２６】
一方、カートリッジレバー７７は、キャリアユニット７０がイジェクト位置Ｐ１から１２Ｌ開始位置Ｐ４に移動することにより、カートリッジレバー付勢バネ１０８に付勢されて軸部１０５がカートリッジレバー案内溝１０３，１０４内を図中矢印Ｙ２方向に移動する。
即ち、カートリッジレバー７７は、キャリアユニット７０に対しては図中矢印Ｙ２方向に相対的に移動する。また、１２ｃｍディスク１２の挿入時における１２Ｌ開始位置Ｐ４は、先に説明した８ｃｍディスク１１の挿入時における８Ｌ開始位置Ｐ２に比べ、図中矢印Ｙ１方向に所定距離離間した位置に設定されている。
【０１２７】
このため、キャリアユニット７０の１２Ｌ開始位置Ｐ４への移動に伴い、カートリッジレバー７７の係合爪１０６はカートリッジレバー退避用カム５４から離間し、かつ、コイルバネ１０８の付勢力によって時計方向に回動しつつ矢印Ｙ１方向に移動する。これにより、カートリッジレバー７７は右レール５０に沿うように軸部１０５を中心として時計方向に回動し、図２１に示されるように右レール５０に沿った状態（図中、矢印Ｙ１，Ｙ２方向に延在する状態）となる。
【０１２８】
上記のようにキャリアユニット７０が１２Ｌ開始位置Ｐ４まで移動すると、制御装置はローディングモータ１００に対し正規電圧（Ｅ）を印加し、これによりキャリアユニット７０は独自に図中矢印Ｙ１方向への移動を開始する。そして、図２２に示すように、１２ｃｍディスク１２が、その中央に形成されたセンターホール１２ａとターンテーブル２４とが一致する位置まで搬送されると、制御装置は一旦１２ｃｍディスク１２の搬送を中止する。
尚、以下の説明において、１２ｃｍディスク１２のセンターホール１２ａとターンテーブル２４とが一致するキャリアユニット７０の位置を１２ｃｍディスクローディング完了位置（１２Ｌ完了位置と略称する）といい、図中Ｐ５で示すものとする。また、この時における１２ｃｍディスク１２の位置をローディング位置というものとする。
【０１２９】
このキャリアユニット７０が１２Ｌ開始位置Ｐ４から１２Ｌ完了位置Ｐ５に移動する際、８ｃｍディスク１１の搬送時と同様に、ディスクレバー６０は常に１２ｃｍディスク１２の挿入方向後部と係合した状態を維持する。よって、１２Ｌ開始位置Ｐ４から１２Ｌ完了位置Ｐ５に１２ｃｍディスク１２が搬送される間も、１２ｃｍディスク１２はキャリアユニット７０及びディスクレバー６０に確実に保持され安定した状態で搬送が行なわれる。
【０１３０】
また、本実施例ではディスクレバー６０をホルダ４０に回動可能に配設することにより、直径寸法の異なる８ｃｍディスク１１と１２ｃｍディスク１２の挿入方向後部の保持を一つのディスクレバー６０により行う構成としている。これにより、ディスク装置１０の部品点数の削減及び構成の簡単化を図ることができる。
【０１３１】
上記のように１２ｃｍディスク１２がセンターホール１２ａとターンテーブル２４とが一致する１２Ｌ完了位置Ｐ５まで搬送されると、制御装置は前記したスライドモータを駆動し、ホルダ駆動スライダ３０を図中矢印Ｘ１方向に移動させる（図３参照）。これにより、ホルダ４０は図４（Ａ）に示す上動位置から回動軸５７を中心として図４（Ｂ）に示す下動位置に移動し、これに伴い１２ｃｍディスク１２も下動してターンテーブル２４に装着されると共に、クランパ５８とターンテーブル２４との間でクランプされる。
【０１３２】
これにより、１２ｃｍディスク１２はディスクモータ２５により回転可能な状態となる。しかしながら、前記したキャリアユニット７０及びディスクレバー６０により保持された状態では、１２ｃｍディスク１２は回転することはできない。このため８ｃｍディスク１１がクランプされた後、キャリアユニット７０及びディスクレバー６０は１２ｃｍディスク１２を保持する位置から退避するよう構成されている。
【０１３３】
先ず、ディスクレバー６０が１２ｃｍディスク１２を保持する位置から退避する動作について説明する．
前記したように、ベース２０には第１及び第２のディスク駆動カム２８，２９が立設されている。この内、第２のディスク駆動カム２９は、キャリアユニット７０が１２Ｌ完了位置Ｐ５まで移動したときにおける、ディスクレバー６０の位置に対応した位置に配設されている。
【０１３４】
即ち、ディスクレバー６０は、キャリアユニット７０が図中矢印Ｙ１方向に移動し、これに伴い１２ｃｍディスク１２が同方向に搬送されると、これに伴い回転軸６２を中心として回動する。そして、１２ｃｍディスク１２が図２２に示す１２Ｌ完了位置Ｐ５まで移動し、これに伴いディスクレバー６０が図１９に示す位置まで回動した際、ディスクレバー６０に形成されている係合部６６は、ベース２０に形成されている第２のディスク駆動カム２９と対向するよう構成されている。
【０１３５】
従って、上記のようにホルダ４０が上動位置から下動位置に移動することにより、第２のディスク駆動カム２９はディスクレバー６０の係合部６６と係合し、ディスクレバー６０を図１８に矢印Ｃ２で示す方向に回動付勢する。これにより、ディスクレバー６０に設けられている係合爪部６３は、図２３に示すように１２ｃｍディスク１２から離間する。この際、第２のディスク駆動カム２９には、前記した第１のディスク駆動カム２８と同様にテーパ面が形成されているため、ディスクレバー６０の回動付勢を円滑に行うことができる。
【０１３６】
続いて、キャリアユニット７０が１２ｃｍディスク１２を保持する位置から退避する動作について説明する。
【０１３７】
前記したように、キャリアユニット７０が１２Ｌ完了位置Ｐ５まで搬送されると、１２ｃｍディスク１２はクランパ５８とターンテーブル２４との間でクランプされ、図中矢印Ｙ１，Ｙ２方向への移動が不可能となる。制御手段は、１２ｃｍディスク１２がクランプされたことを図示しない検知スイッチにより検知すると、再びローディングモータ１００を駆動し、キャリアユニット７０を図２３に示す位置まで移動させる。 尚、以下の説明において、図２３に示すキャリアユニット７０の位置を１２ｃｍディスクローディング退避位置（１２Ｌ退避位置と略称する）といい、図中Ｐ６で示すものとする。
【０１３８】
前記のように１２ｃｍディスク１２がクランプされた状態で、キャリアユニット７０が１２Ｌ完了位置Ｐ５から１２Ｌ退避位置Ｐ６に移動することにより、１２ｃｍディスク１２はクリップディスク７４（７４−１〜７４−４）から離脱する。これにより、キャリアユニット７０による１２ｃｍディスク１２の保持も解除され、１２ｃｍディスク１２に対して再生及び／または記録処理を行なうことが可能となる。
【０１３９】
尚、１２ｃｍディスク１２がディスク装置１０から排出される際には、上記した装着時における動作と反対の動作となるためその説明は省略する。 但し、１２ｃｍディスク１２の排出時においても、１２ｃｍディスク１２の取り出し操作性を向上させるため、図２１に示す１２Ｌ開始位置Ｐ４から図２に示すイジェクト位置Ｐ１までの間も、ローディングモータ１００に対し正規電圧（Ｅ）が印加される構成としている。
【０１４０】
続いて、図２４及び図２８を用いてディスクカートリッジ１３がディスク装置１０に挿入された時の搬送動作について説明する。
図２４はディスクカートリッジ１３の前端がホルダ４０に挿入される前の状態（イジェクト完了状態）を示す平面図である。
【０１４１】
図２４に示されるように、ディスクカートリッジ１３がホルダ４０に挿入される前は、キャリアユニット７０がイジェクト位置Ｐ１に停止しており、キャリアユニット７０の通路１５６に設けられた台形状のカム部１６６が未だカートリッジ係合部材１６２の先端部１６２ｉに摺接しておらず、カム摺接部１６２ｄが左方（Ｘ１方向）に変位している。そのため、カートリッジ係合部材１６２は、バネ部１６２ｅの付勢力により取付ネジ１６４を中心軸として反時計方向に回動しており、係合部１６２ｃをホルダ４０の側壁部４２に設けられた貫通孔１６８に挿入させた退避位置にある。
【０１４２】
従って、カートリッジ挿入前の動作状態では、ディスクカートリッジ１３の挿入動作を妨げないようにカートリッジ係合部材１６２の係合部１６２ｃがＸ２方向に退避している。
図２５はディスクカートリッジ１３の前端がホルダ４０に挿入され、キャリアユニット７０がイジェクト位置Ｐ１から開始位置Ｐ２へ移動した状態を示す平面図である。
図２に示したイジェクト状態のディスク装置１０に、フロントベゼル１３０の挿入口１３３を介してディスクカートリッジ１３を挿入すると、図２５に示すように、このディスクカートリッジ１３の先端部はキャリアユニット７０の前面８９に先ず当接する。
前面８９にはディスクカートリッジ検出用スイッチ９８が配設されているため（図７参照）、ディスクカートリッジ１３がキャリアユニット７０の前面８９に当接することにより、ディスクカートリッジ検出用スイッチ９８は押圧操作される。これにより、制御装置は、ディスクカートリッジ１３がディスク装置１０に挿入されたことを検知する。
【０１４３】
ディスクカートリッジ検出用スイッチ９８がオンに切り替わってディスクカートリッジ１３がディスク装置１０に挿入されたことを検知されると、制御装置はローディングモータ１００に対し電圧印加を開始する。
また、ディスクカートリッジ１３がキャリアユニット７０と当接した状態において、シャッタレバー７８に設けられたシャッタ駆動ピン１１３は、ディスクカートリッジ１３に配設されたシャッタ１５の端部と係合する。
【０１４４】
尚、シャッタ駆動ピン１１３は、樹脂製のシャッタレバー７８に設けられた長孔１１２に対して低摩擦で摺動できるように取り付けられている。そのため、シャッタ駆動ピン１１３は、磨耗しにくくなっており、寿命が延長されている。さらに、シャッタ駆動ピン１１３は、トーションバネ１１３ａによりシャッタレバー７８の先端方向に付勢されており、イジェクト動作に連動して復帰する。トーションバネ１１３ａは、比較的バネ力が弱くなっており、シャッタ駆動ピン１１３を復帰させるのに必要なバネ定数に設定されている。
【０１４５】
また、図２５に示されるように、キャリアユニット７０がイジェクト位置Ｐ１から開始位置Ｐ２まで移動することにより、キャリアユニット７０の通路１５６に設けられた台形状のカム部１６６が相対的にカートリッジ係合部材１６２の先端部１６２ｉに摺接してカム摺接部１６２ｄを右方（Ｘ２方向）へ押圧する。これにより、カートリッジ係合部材１６２は、バネ部１６２ｅを円弧状に撓ませながら時計方向へ回動する。
【０１４６】
そのため、挿入口１３３側に延在する撓み部１６２ｂの端部に起立する係合部１６２ｃは、ホルダ４０の側壁部４２に設けられた貫通孔１６８を離脱してディスクカートリッジ１３の係合凹部１６に挿入させる。しかし、キャリアユニット７０が開始位置Ｐ２から挿入方向（Ｙ１方向）へ移動されることにより、カム部１６６がカム摺接部１６２ｄから離間すると共に、バネ部１６２ｅの付勢力で反時計方向へ回動して係合部１６２ｃをディスクカートリッジ１３の係合凹部１６から離脱させる。このように、カートリッジ係合部材１６２は、キャリアユニット７０によるディスクカートリッジ１３の搬送動作を妨げないように動作する。
【０１４７】
図２６はキャリアユニット７０が開始位置Ｐ２から挿入方向へ移動開始したときの動作状態を示す平面図である。
図２６に示されるように、キャリアユニット７０が開始位置Ｐ２から挿入方向へ移動開始することにより、キャリアユニット７０の通路１６５に設けられた台形状のカム部１６６がカートリッジ係合部材１６２の先端部１６２ｉを通過しており、カム摺接部１６２ｄが左方（Ｘ１方向）に変位している。そのため、カートリッジ係合部材１６２は、取付ネジ１６４を中心軸として反時計方向に回動しており、係合部１６２ｃをホルダ４０の側壁部４２に設けられた貫通孔１６８に挿入させた退避位置にある。
【０１４８】
従って、キャリアユニット７０が開始位置Ｐ２から挿入方向へ移動する動作状態では、ディスクカートリッジ１３がキャリアユニット７０の移動と共に挿入方向に搬送されており、カートリッジ係合部材１６２の係合部１６２ｃがディスクカートリッジ１３の挿入動作を妨げないように退避している。
【０１４９】
また、ディスクカートリッジ１３の挿入時においても、制御装置はキャリアユニット７０が図２に示す位置から図２７に示す位置Ｐ３まで移動する間は、ローディングモータ１００に対して正規駆動電圧（Ｅ）の半分の電圧（Ｅ／２）を印加する構成としており、ディスク挿入時における操作性の向上を図っている。すなわち、キャリアユニット７０は、ローディングモータ１００の駆動力にアシストされながらディスクカートリッジ１３の挿入動作により押圧されながら図中矢印Ｙ１方向に移動する。そのため、操作者は、比較的小さな操作力でディスクカートリッジ１３を挿入することができる。
尚、以下の説明において、キャリアユニット７０の図２７に示す位置をディスクカートリッジローディング開始位置（Ｄ開始位置と略称する）といい、図中Ｐ３で示すものとする。
【０１５０】
キャリアユニット７０がイジェクト位置Ｐ１からＤＬ開始位置Ｐ３まで移動する際、ディスクレバー６０はディスクカートリッジ１３の挿入に邪魔にならない位置に退避している。
即ち、キャリアユニット７０がイジェクト位置Ｐ１からＤＬ開始位置Ｐ３に移動することにより、ディスクレバー６０はレバー本体部６１がキャリアユニット７０の裏面の段差状のカム部Ｎ１から離間する。しかしながら、前記したようにディスクカートリッジ１３はキャリアユニット７０の前面８９と当接した状態であるため、レバー本体部６１がカム部Ｎ１から離間しても、続いて係合爪部６３がディスクカートリッジ１３の側面に当接する。よって、ディスクレバー６０はキャリアユニット７０がイジェクト位置Ｐ１にある時の位置を維持することとなり、ディスクレバー６０がディスクカートリッジ１３の挿入の邪魔になるようなことはない。
【０１５１】
一方、キャリアユニット７０がイジェクト位置Ｐ１から図中矢印Ｙ１方向に移動を開始し、図２５にＰ２で示す位置（この位置は、図１８に示した８Ｌ開始位置Ｐ２と同じ位置）まで移動すると、この移動に伴いカートリッジレバー７７はキャリアユニット７０に対して矢印Ｙ２方向に相対的に移動する。また、キャリアユニット７０が位置Ｐ２まで移動した時点で、カートリッジレバー７７の軸部１０５は、カートリッジレバー案内溝１０３，１０４の図中矢印Ｙ２方向限位置まで移動している。
【０１５２】
このキャリアユニット７０のイジェクト位置Ｐ１から位置Ｐ２までの移動では、カートリッジレバー７７の係合爪１０６はカートリッジレバー退避用カム５４と当接した状態を維持しており、よってホルダ４０に対するカートリッジレバー７７の位置は変化していない。しかしながら、前記のようにカートリッジレバー７７がキャリアユニット７０に対して矢印Ｙ２方向に移動することにより、カートリッジレバー７７はキャリアユニット７０の前面８９から図中矢印Ｙ２方向に延出した状態となる。
【０１５３】
上記した位置Ｐ２から更にキャリアユニット７０がＤＬ開始位置Ｐ３に向け移動すると、前記したようにキャリアユニット７０が位置Ｐ２まで移動した時点で軸部１０５がカートリッジレバー案内溝１０３，１０４の図中矢印Ｙ２方向限の位置まで移動しているため、カートリッジレバー７７はキャリアユニット７０と共に図中矢印Ｙ１方向に移動する。
【０１５４】
これにより、係合爪１０６はカートリッジレバー退避用カム５４から離間し、カートリッジレバー７７はコイルバネ１０８の付勢力によって時計方向に回動しつつ矢印Ｙ１方向に移動する。従って、カートリッジレバー７７はコイルバネ１０８に付勢されて右レール５０に沿うように軸部１０５を中心として時計方向に回動する。また、ディスクカートリッジ１３の側面には係合凹部１６が形成されており、この係合凹部１６の形成位置は上記のように回動するカートリッジレバー７７の係合爪１０６の移動軌跡上に位置するよう構成されている。
【０１５５】
従って、カートリッジレバー７７の上記回動により、図２７に示すように、係合爪１０６はディスクカートリッジ１３の係合凹部１６に係合する。そして、キャリアユニット７０の移動に伴い、カートリッジレバー７７の側面が縁部５３ａから離間した状態において、カートリッジレバー７７は係合爪１０６が係合凹部１６に係合した状態を維持しつつ、右レール５０に沿った状態（図中、矢印Ｙ１，Ｙ２方向に延在する状態）となる。
【０１５６】
更に、上記したキャリアユニット７０の移動に伴い、シャッタレバー７８は反時計方向に回動する。具体的には、シャッタレバー７８に配設されたシャッタ駆動ピン１１３はスリット１２６に係合しているため、キャリアユニット７０の挿入に伴いシャッタ駆動ピン１１３はスリット１２６の形状に案内されて移動する。
【０１５７】
これにより、シャッタレバー７８は、図２７に示されるように、反時計方向に回動し、またシャッタ駆動ピン１１３と係合しているシャッタ１５は矢印Ｘ２方向に摺動して開蓋される。そして、シャッタ１５が完全に開蓋した状態で、前記のようにシャッタ駆動ピン１１３はスリット１２６の直線部に保持された状態になる。
【０１５８】
このように、ディスク装置１０では、キャリアユニット７０のカートリッジレバー７７が挿入位置に挿入されたディスクカートリッジ１３を把持して装着位置へ搬送し、あるいは装着位置のディスクカートリッジ１３を挿入位置へイジェクトする。そして、キャリアユニット７０に揺動可能に設けられたシャッタレバー７８のシャッタ駆動ピン１１３が、ベースカバー１２０のスリット１２６に係合しながら挿入位置から装着位置へ移動する過程でカートリッジ１３のシャッタ１５に係合してディスクカートリッジ１３のシャッタ１５を開閉させる。
【０１５９】
上記のようにキャリアユニット７０がＤＬ開始位置Ｐ３まで移動すると、制御装置はローディングモータ１００に対し正規電圧（Ｅ）を印加する。これにより、キャリアユニット７０は、操作者がディスクカートリッジ１３を押圧しなくてもローディングモータ１００の駆動力のみにより図中矢印Ｙ１方向に移動を開始し、これに伴いカートリッジレバー７７に係合されたディスクカートリッジ１３も図中矢印Ｙ１方向に自動的に搬送される。そして、図２８に示すように、ディスクカートリッジ１３に装着されたＤＶＤ−ＲＡＭ１４のセンタホール１４ａがターンテーブル２４とが一致する位置まで搬送されると、制御装置はローディングモータ１００の回転を停止させてキャリアユニット７０の移動を停止させる。尚、以下の説明において、ＤＶＤ−ＲＡＭ１４のセンタホール１４ａとターンテーブル２４とが一致するキャリアユニット７０の位置をディスクカートリッジローディング完了位置（ＤＬ完了位置と略称する）といい、図中Ｐ６で示すものとする。このＤＬ完了位置Ｐ６は、図２８に示した１２Ｌ退避位置Ｐ６と同じ位置である。また、この時におけるディスクカートリッジ１３の位置をローディング位置というものとする。
【０１６０】
このキャリアユニット７０がＤＬ開始位置Ｐ３からＤＬ完了位置Ｐ６に移動する際も、ディスクレバー６０はディスクカートリッジ１３の側面に当接し、ディスクカートリッジ１３の搬送の邪魔にならないよう退避した位置を維持している。
【０１６１】
上記のようにディスクカートリッジ１３がＤＬ完了位置Ｐ６まで搬送されると、制御装置は前記したスライドモータ（図示せず）を駆動し、ホルダ駆動スライダ３０を図中矢印Ｘ１方向に移動させる（図３参照）。これにより、ホルダ４０は図４（Ａ）に示す上動位置から回動軸５７を中心として図４（Ｂ）に示す下動位置に移動し、これに伴いディスクカートリッジ１３も下動する。
【０１６２】
よって、ディスクカートリッジ１３に内設されているＤＶＤ−ＲＡＭ１４はターンテーブル２４に装着され、クランパ５８とターンテーブル２４との間でクランプされる。これにより、ＤＶＤ−ＲＡＭ１４はディスクモータ２５により回転可能な状態となり、ＤＶＤ−ＲＡＭ１４に対し再生／記録処理が可能となる。
【０１６３】
尚、ディスクカートリッジ１３がディスク装置１０から排出される際には、上記した装着時における動作と反対の動作となる。但し、ディスクカートリッジ１３の排出時においては、取り出し操作性の向上を図るため、ＤＬ完了位置Ｐ６からイジェクト位置Ｐ１までの間の全ての間において、ローディングモータ１００には正規電圧（Ｅ）が印加される構成とされている。
【０１６４】
また、ディスクカートリッジ１３のイジェクト動作は、キャリアユニット７０をＰ２位置で一時的に停止させ、ディスクカートリッジ１３の後端部が挿入口１３３から突出した状態でイジェクト停止とすることにより、ディスクカートリッジ１３が挿入口１３３から脱落することを防止する。
【０１６５】
その後、操作者が、ディスクカートリッジ１３を引き抜くと、ディスクカートリッジ検出用スイッチ９８がオフに切り替わる。そして、検出用スイッチ９８のオフによりディスクカートリッジ１３がディスク装置１０から引き抜かれたことが検知されると、制御装置はローディングモータ１００に対し電圧印加を開始する。
【０１６６】
このように、ディスクカートリッジ１３が引き抜かれると、ローディングモータ１００が再度駆動されてキャリアユニット７０をイジェクト位置Ｐ１まで移動させ、次回のディスク８，１１またはディスクカートリッジ１３の挿入に備えてキャリアユニット７０をイジェクト位置Ｐ１で待機させる。
【０１６７】
ここで、図２９乃至図４１を参照してディスクカートリッジ１３のイジェクト動作について説明する。
【０１６８】
図２９はキャリアユニット７０が位置Ｐ２に到着する直前のイジェクト動作状態を示す平面図である。図３０は位置Ｐ２におけるカートリッジ係合部材１６２の動作状態を拡大して示す平面図である。図３１は位置Ｐ２におけるカートリッジ係合部材１６２の動作状態を拡大して示す側面図である。
図２９乃至図３１に示されるように、キャリアユニット７０が位置Ｐ２に到着する直前のイジェクト動作状態においては、キャリアユニット７０の通路１５６に設けられた台形状のカム部１６６が未だカートリッジ係合部材１６２の先端部１６２ｉに摺接しておらず、カム摺接部１６２ｄが左方（Ｘ１方向）に変位している。そのため、カートリッジ係合部材１６２は、取付ネジ１６４を中心軸として反時計方向に回動しており、係合部１６２ｃをホルダ４０の側壁部４２に設けられた貫通孔１６８に挿入させた退避位置にある。
【０１６９】
従って、キャリアユニット７０が位置Ｐ２に到着する直前のイジェクト動作状態では、カートリッジレバー７７によって保持されたディスクカートリッジ１３がキャリアユニット７０の移動によりイジェクト方向に搬送されており、カートリッジ係合部材１６２の係合部１６２ｃがディスクカートリッジ１３のイジェクト動作を妨げないように退避している。
【０１７０】
図３２はキャリアユニット７０が停止位置Ｐ２に到着したイジェクト動作状態を示す平面図である。図３３は停止位置Ｐ２におけるカートリッジ係合部材１６２の動作状態を拡大して示す平面図である。図３４は停止位置Ｐ２におけるカートリッジ係合部材１６２の動作状態を拡大して示す側面図である。
図３２乃至図３４に示されるように、キャリアユニット７０は、イジェクト動作によりＹ２方向に移動して停止位置Ｐ２で一時的に停止し、ディスクカートリッジ１３の後端部を挿入口１３３から突出させた状態で停止する。このように、キャリアユニット７０が停止位置Ｐ２に到着する過程でカートリッジレバー７７の係合爪１０６がカートリッジレバー退避用カム５４に摺接して反時計方向に回動する。これにより、カートリッジレバー７７の係合爪１０６は、ディスクカートリッジ１３の係合凹部１６から離間してディスクカートリッジ１３との連結を解除する。
【０１７１】
このとき、キャリアユニット７０の通路１５６に設けられた台形状のカム部１６６は、カートリッジ係合部材１６２の先端部１６２ｉに摺接しており、カム摺接部１６２ｄが右方（Ｘ２方向）に変位している。そのため、カートリッジ係合部材１６２は、取付ネジ１６４を中心軸として時計方向に回動しており、係合部１６２ｃがディスクカートリッジ１３の係合凹部１６に係合する位置に変位している。
【０１７２】
従って、キャリアユニット７０が停止位置Ｐ２に到着して停止すると、カートリッジ係合部材１６２の係合部１６２ｃがディスクカートリッジ１３の係合凹部１６に係合する。これにより、ディスクカートリッジ１３は、係合凹部１６がカートリッジ係合部材１６２の係合部１６２ｃにロックされて挿入口１３３から脱落することを阻止される。よって、キャリアユニット７０が停止したとき、ディスクカートリッジ１３にイジェクト方向への慣性力が作用してもカートリッジ係合部材１６２の係合部１６２ｃがディスクカートリッジ１３の係合凹部１６に係合しているため、ディスクカートリッジ１３が挿入口１３３から飛び出すことを防止される。
【０１７３】
また、シャッタレバー７８に設けられたシャッタ駆動ピン１１３がディスクカートリッジ１３のシャッタ１５に係合してシャッタ１５を僅かに開成させた位置に保持しているため、シャッタ１５を閉じ方向に付勢するバネ部材（図示せず）の付勢力の反力がディスクカートリッジ１３を水平方向に回動させる力として作用するが、カートリッジ係合部材１６２の係合部１６２ｃがディスクカートリッジ１３の係合凹部１６に係合しているため、ディスクカートリッジ１３が水平方向に回動することも防止している。そのため、従来のようにディスクカートリッジ１３が水平方向に回動してディスクカートリッジ検出用スイッチ９８がオフになり、ローディングモータ１００が駆動されると、ディスクカートリッジ検出用スイッチ９８が再びディスクカートリッジ１３に当接してオンになり、キャリアユニット７０がイジェクト方向に断続的に駆動されるといったことも防止できる。
【０１７４】
図３５はキャリアユニット７０が停止位置Ｐ２にあるときディスクカートリッジ１３が手動で引き抜かれるときの動作を示す平面図である。図３６はキャリアユニット７０が停止位置Ｐ２にあるときディスクカートリッジ１３が手動で引き抜かれるときの動作を示す側面図である。
【０１７５】
図３５及び図３６に示されるように、キャリアユニット７０が停止位置Ｐ２にあるときディスクカートリッジ１３が手動で引き抜かれると、ディスクカートリッジ１３の前端がキャリアユニット７０の前面８９から離間するが、ディスクカートリッジ検出用スイッチ９８からは離間していないので、ディスクカートリッジ検出用スイッチ９８はオンのままである。そのため、ローディングモータ１００は停止している。
【０１７６】
ディスクカートリッジ１３の係合凹部１６に係合する係合部１６２ｃは、係合凹部１６によってイジェクト方向（Ｙ２方向）へ押圧される。これにより、カートリッジ係合部材１６２の撓み部１６２ｂは、第１変形部１６２ｆがＸ方向に撓むと共に、第２変形部１６２ｇがＹ方向に撓むことにより、係合部１６２ｃが係合凹部１６に押圧されてイジェクト方向（Ｙ２方向）に変位する。
従って、カートリッジ係合部材１６２の係合部１６２ｃは、ディスクカートリッジ１３の係合凹部１６に押圧されて孔１７０内をＹ２方向へ移動する。
【０１７７】
さらに、ディスクカートリッジ１３が手動操作でイジェクト方向に引き抜かれると、図３７及び図３８に示されるように、ディスクカートリッジ１３の前端がディスクカートリッジ検出用スイッチ９８からも離間して、ディスクカートリッジ検出用スイッチ９８がオフに切り替わると共に、第１変形部１６２ｆ及び第２変形部１６２ｇの変形量が大きくなって係合部１６２ｃが孔１７０の傾斜部１７０ａを摺動してＸ２方向へ移動する。
【０１７８】
そのため、係合部１６２ｃは、ホルダ４０の側壁部４２に設けられた貫通孔１６８に進入してディスクカートリッジ１３の係合凹部１６から離脱する。これにより、ディスクカートリッジ１３は、係合部１６２ｃによるロックが解除される。これで、ディスクカートリッジ１３の引き抜き操作が可能になる。
【０１７９】
従って、図３９乃至図４１に示されるように、操作者が挿入口１３３から突出したディスクカートリッジ１３の後端部を把持して手動で引き抜くと、上記係合凹部１６に係合していたカートリッジ係合部材１６２の係合部１６２ｃがレール５０に設けられた孔１７０の傾斜部１７０ａを摺動して係合凹部１６から離脱するようにＸ２方向へ移動する。このように、カートリッジ係合部材１６２によるロックを解除されたディスクカートリッジ１３は、挿入口１３３からイジェクト方向に引き抜かれる。
【０１８０】
また、ディスクカートリッジ１３の引き抜き操作によりディスクカートリッジ検出用スイッチ９８がオフに切り替わると、制御装置はローディングモータ１００に対し電圧印加を開始してキャリアユニット７０をイジェクト位置Ｐ１（図２参照）へ移動させる。
【０１８１】
尚、上記実施例では、ディスクカートリッジ１３にＤＶＤ−ＲＡＭ１４が収納されているものとして説明したが、ＤＶＤ−ＲＡＭ１４以外の記憶媒体が収納されたカートリッジが挿入されるディスク装置にも適用できるのは勿論である。
【０１８２】
【発明の効果】
上述の如く、請求項１記載の発明によれば、内部にディスク状記録媒体が収容されたカートリッジが挿入または排出される開口と、開口を通過したカートリッジが挿入されるホルダと、ホルダ内に移動可能に設けられ、カートリッジを挿入方向またはイジェクト方向に搬送するキャリアユニットと、キャリアユニットに設けられ、ホルダに挿入されたカートリッジに連結され、イジェクト動作過程でカートリッジとの連結が解除される連結部材と、を備えてなるディスク装置において、ホルダに挿入された前記カートリッジを開口へ排出するイジェクト動作過程でカートリッジの被係合部に係合する係合部材をホルダに設け、係合部材は、カートリッジがホルダに挿入される前の状態のときにホルダの側方に退避し、カートリッジが開口に排出されるときにカートリッジの被係合部に係合する位置に変位するため、係合部材がカートリッジを保持してイジェクトされたカートリッジが開口から脱落することを防止できると共に、比較的小さな操作力でカートリッジを挿入するができ、カートリッジ挿入操作の感触を損なうことがない。また、係合部材がカートリッジをロックするように係合して、カートリッジがシャッタを閉じ方向に付勢するバネ部材の反力で回動することも防止でき、そのため、カートリッジがホルダ内で回動してカートリッジを検出するスイッチがオフになり、キャリアユニットがイジェクト方向に駆動されると、カートリッジがスイッチに当接してオンに切り替わり、キャリアユニットが断続的に駆動されることも防止できる。
【０１８３】
また、請求項２記載の発明によれば、キャリアユニットが、カートリッジを搬送するキャリアを有し、キャリアは、カートリッジが挿入される前の待機状態の停止位置とカートリッジを排出するイジェクト状態の停止位置とが設定されており、係合部材は、キャリアが待機状態の停止位置に位置するときホルダの側方に退避し、キャリアがカートリッジを開口に排出したイジェクト状態の停止位置に移動したときカートリッジの被係合部に係合するため、係合部材の退避動作及び係合動作をキャリアの移動に応じて行うことが可能になり、比較的簡単な構成で係合部材を動作させることができる。
【図面の簡単な説明】
【図１】本発明の一実施例であるディスク装置の分解斜視図である。
【図２】本発明の一実施例であるディスク装置の平面図である。
【図３】本発明の一実施例であるディスク装置の正面図である。
【図４】本発明の一実施例であるディスク装置の側面図であり、ホルダの動作を説明するための図である。
【図５】カートリッジロック機構１６０を拡大して示す平面図である。
【図６】カートリッジ係合部材１６２の形状を示す図である。
【図７】本発明の一実施例であるディスク装置に設けられるキャリアユニットの分解斜視図である。
【図８】キャリアユニットに配設されるクリップディスクの斜視図である。
【図９】クリップディスクの動作を説明するための図である（その１）。
【図１０】クリップディスクの動作を説明するための図である（その２）。
【図１１】クリップディスクの動作を説明するための図である（その３）。
【図１２】キャリアユニットに配設されるディスク検出スイッチ及びディスク用湾曲壁を説明するための図である。
【図１３】ディスクレバーの動作を説明するための図である。
【図１４】前面ベゼルの正面図である。
【図１５】前面ベゼルの側断面図である。
【図１６】前面ベゼルの開閉蓋１３１，１３２がディスクカートリッジ１３の挿入操作により開放動作した状態を示す側断面図である。
【図１７】ディスク１１，１２が開閉蓋１３１，１３２のスリット１３５に挿入された動作状態を示す側断面図である。
【図１８】本発明の一実施例であるディスク装置に８ｃｍディスクがローディング開始位置まで挿入された状態を示す図である。
【図１９】本発明の一実施例であるディスク装置に８ｃｍディスクがローディング完了位置までローディングされた状態を示す図である。
【図２０】本発明の一実施例であるディスク装置が８ｃｍディスクに対し記録／再生処理を実施している状態を示す図である。
【図２１】本発明の一実施例であるディスク装置に１２ｃｍディスクがローディング開始位置まで挿入された状態を示す図である。
【図２２】本発明の一実施例であるディスク装置に１２ｃｍディスクがローディング完了位置までローディングされた状態を示す図である。
【図２３】本発明の一実施例であるディスク装置が１２ｃｍディスクに対し記録／再生処理を実施している状態を示す図である。
【図２４】ディスクカートリッジ１３の前端がホルダ４０に挿入される前の状態（イジェクト完了状態）を示す平面図である。
【図２５】ディスクカートリッジ１３の前端がホルダ４０に挿入され、キャリアユニット７０がイジェクト位置Ｐ１から開始位置Ｐ２へ移動した状態を示す平面図である。
【図２６】キャリアユニット７０が開始位置Ｐ２から挿入方向へ移動開始したよきの動作状態を示す平面図である。
【図２７】本発明の一実施例であるディスク装置にディスクカートリッジがローディング開始位置まで挿入された状態を示す図である。
【図２８】本発明の一実施例であるディスク装置がディスクカートリッジ内のディスクに対し記録／再生処理を実施している状態を示す図である。
【図２９】キャリアユニット７０が位置Ｐ２に到着する直前のイジェクト動作状態を示す平面図である。
【図３０】位置Ｐ２におけるカートリッジ係合部材１６２の動作状態を拡大して示す平面図である。
【図３１】位置Ｐ２におけるカートリッジ係合部材１６２の動作状態を拡大して示す側面図である。
【図３２】キャリアユニット７０が停止位置Ｐ２に到着したイジェクト動作状態を示す平面図である。
【図３３】停止位置Ｐ２におけるカートリッジ係合部材１６２の動作状態を拡大して示す平面図である。
【図３４】停止位置Ｐ２におけるカートリッジ係合部材１６２の動作状態を拡大して示す側面図である。
【図３５】キャリアユニット７０が停止位置Ｐ２にあるときディスクカートリッジ１３が手動で引き抜かれるときの動作を示す平面図である。
【図３６】キャリアユニット７０が停止位置Ｐ２にあるときディスクカートリッジ１３が手動で引き抜かれるときの動作を示す側面図である。
【図３７】ディスクカートリッジ１３が手動操作でイジェクト方向に引き抜かれるときの動作を示す平面図である。
【図３８】ディスクカートリッジ１３が手動操作でイジェクト方向に引き抜かれるときの動作を示す側面図である。
【図３９】ディスクカートリッジ１３が手動操作でイジェクト方向に引き抜かれた状態を示す平面図である。
【図４０】ディスクカートリッジ１３が手動操作でイジェクト方向に引き抜かれたときのカートリッジ係合部材１６２の動作状態を拡大して示す平面図である。
【図４１】ディスクカートリッジ１３が手動操作でイジェクト方向に引き抜かれた状態を示す側面図である。
【符号の説明】
１０  ディスク装置
１１  ８ｃｍディスク
１２  １２ｃｍディスク
１３  ディスクカートリッジ
１４  デジタルビデオディスク
１６  係合凹部
２０  ベース
２４  ターンテーブル
２５  ディスクモータ
２６  ピックアップ
２７  ガイドシャフト
２８  第１のディスクレバー駆動カム
２９  第２のディスクレバー駆動カム
３０  ホルダ駆動スライダ
３１  カム板部
３２，３３  斜めカム
４０  ホルダ
４６  垂下部
４７，４８  従動ピン
５７  回動軸
５８  クランパ
５９  クランパホルダ
６０  ディスクレバー
６１  レバー本体部
７０  キャリアユニット
７１  上部半体
７２  右下部半体
７３  左下部半体
７４（７４−１，７４−２，７４−３，７４−４）  クリップディスク
７７  カートリッジレバー
７８  シャッタレバー
１０３，１０４  カートリッジレバー案内溝
１２０  ベースカバー
１３０  前面ベゼル
１３１，１３２  ドア部材
１３３  挿入口
１３５  スリット
１３６，１３７  弾性部材
１６０  カートリッジロック機構
１６２  カートリッジ係合部材
１６２ｂ  撓み部
１６２ｃ  係合部
１６２ｄ  カム摺接部
１６２ｅ  バネ部
１６２ｆ  第１変形部
１６２ｇ  第２変形部
１６４  取付ネジ
１６６  カム部
１６８  貫通孔
１７０  孔
１７０ａ  傾斜部
【図１】
0003807279.tif 000002
【図２】
0003807279.tif 000003
【図３】
0003807279.tif 000004
【図４】
0003807279.tif 000005
【図５】
0003807279.tif 000006
【図６】
0003807279.tif 000007
【図７】
0003807279.tif 000008
【図８】
0003807279.tif 000009
【図９】
0003807279.tif 000010
【図１０】
0003807279.tif 000011
【図１１】
0003807279.tif 000012
【図１２】
0003807279.tif 000013
【図１３】
0003807279.tif 000014
【図１４】
0003807279.tif 000015
【図１５】
0003807279.tif 000016
【図１６】
0003807279.tif 000017
【図１７】
0003807279.tif 000018
【図１８】
0003807279.tif 000019
【図１９】
0003807279.tif 000020
【図２０】
0003807279.tif 000021
【図２１】
0003807279.tif 000022
【図２２】
0003807279.tif 000023
【図２３】
0003807279.tif 000024
【図２４】
0003807279.tif 000025
【図２５】
0003807279.tif 000026
【図２６】
0003807279.tif 000027
【図２７】
0003807279.tif 000028
【図２８】
0003807279.tif 000029
【図２９】
0003807279.tif 000030
【図３０】
0003807279.tif 000031
【図３１】
0003807279.tif 000032
【図３２】
0003807279.tif 000033
【図３３】
0003807279.tif 000034
【図３４】
0003807279.tif 000035
【図３５】
0003807279.tif 000036
【図３６】
0003807279.tif 000037
【図３７】
0003807279.tif 000038
【図３８】
0003807279.tif 000039
【図３９】
0003807279.tif 000040
【図４０】
0003807279.tif 000041
【図４１】
0003807279.tif 000042